(57)【要約】  本発明では、長固定子リニアモーターで動作させて使用した時の向きを簡単に決定できる、長固定子リニアモーターのための移送ユニットを提示するために、この移送ユニット１は、第一の案内グループＧ１が配置された第一の案内側ＦＳ１と、第二の案内グループＧ２が配置された第二の案内側ＦＳ２とを有する。長手方向ｘに関して側方に有る第一の磁石側Ｓ１が第二の磁石側Ｓ２に対して逆側に有り、第一の磁石側Ｓ１における第一の長手方向の延びｌ１の中心から第一の終端ｌ１ｅの方向に向かって第一の検査間隔ａ１の所で第一の値ｗ１の磁気変数を有するとともに、第一の磁石側Ｓ１における第一の長手方向の延びｌ１の中心から第一の始端ｌ１ａの方向に向かって第一の検査間隔ａ１の所で、第一の値ｗ１と一致する第二の値ｗ２の磁気変数を有する。この移送ユニット１が、第二の磁石側Ｓ２において、第二の長手方向の延びｌ２の中心から第二の終端ｌ２ｅの方向に向かって第二の検査間隔ａ２の所で第三の値ｗ３の磁気変数を有するとともに、第二の長手方向の延びｌ２の中心から第二の始端ｌ２ａの方向に向かって第二の検査間隔ａ２の所で、第三の値ｗ３と一致する第四の値ｗ４の磁気変数を有し、これらの第一及び第二の値ｗ１，ｗ２が第三及び第四の値ｗ３，ｗ４と異なる。
2021511773.tif 000002
【特許請求の範囲】
【請求項１】
長固定子リニアモーター（２）のための移送ユニット（１）であって、
この移送ユニット（１）が、
第一の案内グループ（Ｇ１）が配置された、長手方向（ｘ）に関して側方に存在する第一の案内側（ＦＳ１）を有し、
第二の案内グループ（Ｇ２）が配置された、少なくとも長手方向（ｘ）に関して側方に存在する第二の案内側（ＦＳ２）を有し、この第二の案内側（ＦＳ２）が第一の案内側（ＦＳ１）に対して対向して有るとともに、第二の案内グループ（Ｇ２）が第一の案内グループ（Ｇ１）と案内に関して同等であるように構成されており、
長手方向（ｘ）に沿って第一の始端（ｌ１ａ）から第一の終端（ｌ１ｅ）までの第一の長手方向の延び（ｌ１）に渡って延びる、長手方向（ｘ）に関して側方に存在する第一の磁石側（Ｓ１）を有し、
長手方向（ｘ）に沿って第二の始端（ｌ２ａ）から第二の終端（ｌ２ｅ）までの第二の長手方向の延び（ｌ２）に渡って延びる、長手方向（ｘ）に関して側方に存在する第二の磁石側（Ｓ２）を有し、この第一の磁石側（Ｓ１）が第二の磁石側（Ｓ２）に対して対向して有るとともに、第一の長手方向の延び（ｌ１）の中心と第二の長手方向の延び（ｌ２）の中心が互いに対向して有る、
移送ユニット（１）において、
この移送ユニット（１）が、第一の磁石側（Ｓ１）において、第一の長手方向の延び（ｌ１）の中心から第一の終端（ｌ１ｅ）の方向に向かって第一の検査間隔（ａ１）で第一の値（ｗ１）の磁気変数を有するとともに、第一の磁石側（Ｓ１）において、第一の長手方向の延び（ｌ１）の中心から第一の始端（ｌ１ａ）の方向に向かって第一の検査間隔（ａ１）で、第一の値（ｗ１）と一致する第二の値（ｗ２）の磁気変数を有することと、
この移送ユニット（１）が、第二の磁石側（Ｓ２）において、第二の長手方向の延び（ｌ２）の中心から第二の終端（ｌ２ｅ）の方向に向かって第二の検査間隔（ａ２）で第三の値（ｗ３）の磁気変数を有することと、
この移送ユニット（１）が、第二の磁石側（Ｓ２）において、第二の長手方向の延び（ｌ２）の中心から第二の始端（ｌ２ａ）の方向に向かって第二の検査間隔（ａ２）で、第三の値（ｗ３）と一致する第四の値（ｗ４）の磁気変数を有し、これらの第一及び第二の値（ｗ１，ｗ２）が第三及び第四の値（ｗ３，ｗ４）と異なることと、
を特徴とする移送ユニット。
【請求項２】
第一の検査間隔（ａ１）の所が第二の検査間隔（ａ２）の所と一致することを特徴とする請求項１に記載の移送ユニット。
【請求項３】
長手方向（ｘ）に沿って、第一の磁石側（Ｓ１）における磁気変数の全ての値が第二の磁石側（Ｓ２）におけるものと異なる値を有することを特徴とする請求項２に記載の移送ユニット。
【請求項４】
第一の磁石側（Ｓ１）における磁気変数の値が第一の長手方向の延び（ｌ１）の中心に対して対称的であることと、
第二の磁石側（Ｓ２）における磁気変数の値が第二の長手方向の延び（ｌ２）の中心に対して対称的であることと、
を特徴とする請求項１から３までのいずれか一つに記載の移送ユニット。
【請求項５】
長固定子リニアモーター（２）のための移送ユニット（１）であって、
この移送ユニット（１）が、
案内に関して対称的である第一の案内グループ（Ｇ１）が配置された、長手方向（ｘ）に関して側方に存在する第一の案内側（ＦＳ１）を有し、
長手方向（ｘ）に沿って第一の始端（ｌ１ａ）から第一の終端（ｌ１ｅ）までの第一の長手方向の延び（ｌ１）に渡って延びる、長手方向（ｘ）に関して側方に存在する第一の磁石側（Ｓ１）を有する、
移送ユニット（１）において、
この移送ユニット（１）が、第一の磁石側（Ｓ１）において、第一の長手方向の延び（ｌ１）の中心から第一の終端（ｌ１ｅ）の方向に向かって第一の検査間隔（ａ１）で第一の値（ｗ１）の磁気変数を有することと、
この移送ユニット（１）が、第一の磁石側（Ｓ１）において、第一の長手方向の延び（ｌ１）の中心から第一の始端（ｌ１ａ）の方向に向かって第一の検査間隔（ａ１）で、第一の値（ｗ１）と異なる第二の値（ｗ２）の磁気変数を有することと、
を特徴とする移送ユニット。
【請求項６】
長固定子リニアモーター（２）のための移送ユニット（１）であって、
この移送ユニット（１）が、
第一の案内グループ（Ｇ１）が配置された、長手方向（ｘ）に関して側方に存在する第一の案内側（ＦＳ１）を有するとともに、
長手方向（ｘ）に沿って第一の始端（ｌ１ａ）から第一の終端（ｌ１ｅ）までの第一の長手方向の延び（ｌ１）に渡って延びる、長手方向（ｘ）に関して側方に存在する第一の磁石側（Ｓ１）を有し、
この移送ユニットが、第二の案内グループ（Ｇ２）が配置された、長手方向（ｘ）に関して側方に存在する第二の案内側（ＦＳ１）を有し、
この移送ユニット（１）が、長手方向（ｘ）に沿って第二の始端（ｌ２ａ）から第二の終端（ｌ２ｅ）までの第二の長手方向の延び（ｌ２）に渡って延びる、長手方向（ｘ）に関して側方に存在する第二の磁石側（Ｓ２）を有する、
移送ユニットにおいて、
第一の案内グループ（ＦＧ１）と第二の案内グループ（ＦＧ２）が案内に関して対称的であるか、互いに案内に関して同等である、或いはその両方であることと、
この移送ユニット（１）が、第一の磁石側（Ｓ１）において、第一の長手方向の延び（ｌ１）の中心から第一の終端（ｌ１ｅ）の方向に向かって第一の検査間隔（ａ１）で第一の値（ｗ１）の磁気変数を有することと、
この移送ユニット（１）が、第一の磁石側（Ｓ１）において、第一の長手方向の延び（ｌ１）の中心から第一の始端（ｌ１ａ）の方向に向かって第一の検査間隔（ａ１）で、第一の値（ｗ１）と異なる第二の値（ｗ２）の磁気変数を有することと、
この移送ユニット（１）が、第二の磁石側（Ｓ２）において、第二の長手方向の延び（ｌ２）の中心から第二の終端（ｌ２ｅ）の方向に向かって第二の検査間隔（ａ２）で第三の値（ｗ３）の磁気変数を有することと、
この移送ユニット（１）が、第二の磁石側（Ｓ２）において、第二の長手方向の延び（ｌ２）の中心から第二の始端（ｌ２ａ）の方向に向かって第二の検査間隔（ａ２）で、第三の値（ｗ３）と異なる第四の値（ｗ４）の磁気変数を有することと、
を特徴とする移送ユニット。
【請求項７】
第一の案内側（ＦＳ１）が第二の案内側（ＦＳ２）に対して対向して有ることと、
第一の磁石側（Ｓ１）が第二の磁石側（ＦＳ２）に対して対向して有るとともに、第一の長手方向の延び（ｌ１）の中心と第二の長手方向の延び（ｌ２）の中心が互いに対向して有ることと、
この移送ユニットが、第一の磁石側（Ｓ１）において、長手方向（ｘ）に沿った検査位置（ａ３）で第五の値（ｗ５）の磁気変数を有することと、
この移送ユニット（１）が、第二の磁石側（Ｓ１）において、長手方向（ｘ）に沿った検査位置（ａ３）で、第五の値（ｗ５）と異なる第六の値（ｗ６）の磁気変数を有することと、
を特徴とする請求項６に記載の移送ユニット。
【請求項８】
第一の検査間隔（ａ１）の所が第二の検査間隔（ａ２）の所及び検査位置（ａ３）と一致することを特徴とする請求項７に記載の移送ユニット。
【請求項９】
長手方向（ｘ）に沿った第一の磁石側（Ｓ１）における磁気変数の全ての値が第二の磁石側（Ｓ２）における磁気変数の値と異なることを特徴とする請求項７又は８に記載の移送ユニット。
【請求項１０】
第一の磁石側（Ｓ１）における磁気変数の値が第一の長手方向の延び（ｌ１）の中心に対して非対称的であることを特徴とする請求項１から９までのいずれか一つに記載の移送ユニット。
【請求項１１】
前記の磁気変数が、有利には、第一の磁石側（Ｓ１）に取り付けられた第一の磁石板（Ｐ１）又は第二の磁石側（Ｓ２）に取り付けられた第二の磁石板（Ｐ２）の磁気抵抗によって与えられることを特徴とする請求項１から１０までのいずれか一つに記載の移送ユニット。
【請求項１２】
第一の数ｋの磁石（Ｍ１１，．．．，Ｍ１ｋ）が第一の磁石側（Ｓ１）に配置されるか、或いは第二の数ｌの磁石（Ｍ２１，．．．，Ｍ２ｌ）が第二の磁石側（Ｓ２）に配置されて、これらの磁石が、それぞれ横方向（ｙ）に極性（ｎ，ｓ）を付与されており、前記の磁気変数が、これらの第一の数ｋの磁石（Ｍ１１，．．．，Ｍ１ｋ）又は第二の数ｌの磁石（Ｍ２１，．．．，Ｍ２ｌ）の極性によって与えられることを特徴とする請求項１から１０までのいずれか一つに記載の移送ユニット。
【請求項１３】
請求項１から１２までのいずれか一つに記載の少なくとも一つの移送ユニット（１）と、この少なくとも一つの移送ユニット（１）を移送区間（２０）に沿って移動方向に案内するために、第一の案内グループ（Ｇ１）及び／又は第二の案内グループ（Ｇ２）と協力して動作する第一の区間案内グループ（２１）及び／又は第二の区間案内グループ（２２）を備えた移送区間（２０）とを有する長固定子リニアモーター。
【請求項１４】
長固定子リニアモーター（２）の移送ユニット（１）の向きを決定する方法であって、この移送ユニット（１）が案内に関して対称的であるか、案内に関して同等であるか、或いはその両方である方法において、
長手方向（ｘ）に関して側方に有る磁石側（Ｓ１，Ｓ２）における一つの検査点（Ｐ）で、磁気検査変数の実際値（ｗ）が検出されて、基準値（ｗ０）と比較されることと、
この実際値（ｗ）が基準値（ｗ０）と一致しない場合に、移送ユニット（１）が誤った向きに有ると推定されることと、
を特徴とする方法。
【請求項１５】
磁気検査変数として、移送ユニット（１）の一つの磁石（Ｍ１１，．．．，Ｍ１ｋ，Ｍ２１，．．．，Ｍ２ｌ）の極性（ｎ，ｓ）が検出されることを特徴とする請求項１４に記載の方法。
【発明の詳細な説明】
【技術分野】
【０００１】
本発明は、長固定子リニアモーターのための移送ユニットに関し、この移送ユニットは、長手方向に関して側方に有る、案内に関して対称的な第一の案内グループが配置された第一の案内側を有するとともに、この移送ユニットは、長手方向に関して側方に有る、長手方向に沿って第一の始端から第一の終端にまでの第一の長手方向の延びに渡って延びる第一の磁石側を有する。
【０００２】
本発明は、更に、長固定子リニアモーターのための移送ユニットに関し、この移送ユニットは、長手方向に関して側方に有る、第一の案内グループが配置された第一の案内側と、長手方向に関して側方に有る、長手方向に沿って第一の始端から第一の終端にまでの第一の長手方向の延びに渡って延びる第一の磁石側とを有し、この移送ユニットは、長手方向に関して側方に有る、第二の案内グループが配置された第二の案内側を有するとともに、この移送ユニットは、長手方向に関して側方に有る、長手方向に沿って第二の始端から第二の終端にまでの第二の長手方向の延びに渡って延びる第二の磁石側を有する。
【０００３】
また、本発明は、長固定子リニアモーターのための移送ユニットに関し、この移送ユニットは、長手方向に関して側方に有る、第一の案内グループが配置された第一の案内側と、少なくとも長手方向に関して側方に有る、第二の案内グループが配置された第二の案内側とを有し、この第二の案内側が第一の案内側に対して対向して有り、第二の案内グループが第一の案内グループに対して案内に関して同等であるように構成され、更に、長手方向に関して側方に有る、長手方向に沿って第一の始端から第一の終端にまでの第一の長手方向の延びに渡って延びる第一の磁石側と、長手方向に関して側方に有る、長手方向に沿って第二の始端から第二の終端にまでの第二の長手方向の延びに渡って延びる第二の磁石側とを有し、第一の長手方向の延びの中心と第一の長手方向の延びの中心が互いに対向して有る。
【０００４】
更に、本発明は、長固定子リニアモーターの移送ユニットの向きを決定する方法に関し、この移送ユニットは、長手方向において案内に関して対称的であるか、案内に関して同等であるか、或いはその両方である。
【背景技術】
【０００５】
長固定子リニアモーター（ＬＬＭ）では、多数の順番に配置された電気駆動コイルが移送区間に沿って位置を固定して配置されており、それらの駆動コイルが固定子を構成する。移送ユニットには、一定数の磁石が永久磁石、電気コイル又は短絡巻線として配置されている。それらの磁石は、通常移動方向において固定子の駆動コイルと協力して動作するように移送ユニットに配置されている。長固定子リニアモーターは、自励式と他励式の両方により同期機械として実現することができるか、或いは非同期機械として実現することができる。磁石と駆動コイルの（電）磁界の協力動作によって、推進力が移送ユニットの磁石に作用し、それによって、更に、移送ユニットが移動方向に動かされる。それは、推進力の大きさに影響する磁気流量を制御する個々の駆動コイルを駆動することによって行なわれる。最新の柔軟な物流ユニットの要求に応えるために、従来の連続コンベヤー又は回転・直線変換ユニット（例えば、ベルトコンベヤー、ベルト、チェーン等における回転モーター）の代替部品として、長固定子リニアモーターが益々採用されている。
【０００６】
一般的に、そのような長固定子リニアモーターは、大抵一つの面内に配置されており、その結果、移送ユニットは、平坦な移送区間に沿って動かされる。その場合、移送区間は、曲がった区画、直線の形の移送区画又は転轍機から構成することができる。当然のことながら、好適な手法で移送ユニットを移送区間に沿って案内して、それに保持しなければならない。そのために、移送ユニットには、移送区間に配備された区間案内グループと協力して動作する、個別の案内部品から成る案内グループが配備されており、これらの区間案内グループは、更に、区間案内部品から構成される。その場合、例えば、ローラー、ホイール、スライド部品、ガイド面などの任意の案内部品及び区間案内部品を採用することができる。特許文献１は、例えば、移送区間の対応するガイド面上を転がるガイドホイールが側方に取り付けられた移送ユニットを備えた長固定子リニアモーターを記載している。移送区間に移送ユニットを保持するために、移送ユニットにおける駆動磁石の磁力が用いられている。特許文献２は、移送区間に沿って移動方向に機械方式により強制的に案内される、即ち、そのような一つの移動方向にしか運搬車両を動かすことができない、移送ユニットを備えた長固定子リニアモーターを記載している。それによって、運搬車両の案内と保持が常に保証されている。特許文献３では、二つの案内側にそれぞれ案内グループが存在することによって、移送区間に沿った運搬車両の確実な案内を保証している。移送区間には、それぞれ移送ユニットの第一又は第二の案内グループの案内部品と協力して動作する第一と第二の区間案内グループが配備されている。それによって、運搬車両が移動方向に常に確実に案内されて、移送区間からの離脱が実質的に不可能となっている。
【０００７】
特に、転轍機を介した移送時に、移送区間の構成によって、位置を固定された駆動コイルに対する移送ユニットの向きが、例えば、縦軸又は横軸の周りに１８０度回転することが起こり得る。基本的には、移送ユニットと移送区間によって構造的に可能である限り、実際に各軸の周りに向きが回転することが考えられる。固定子への移送ユニットの取付時に、移送ユニットが所望の、或いは想定した向きに対して回転した形で誤って設置される可能性も有る。しかし、移送区間での移送ユニットの正しい標準的な向き又は誤った向きの検知はこれまで不可能であった。特許文献４及び５は、転轍機とそれぞれ側面毎に三つの磁石を備えた移送ユニットと備えた長固定子リニアモーターをそれぞれ開示しており、その際、案内グループ毎のそれぞれ二つの案内部品が、それぞれ対応する区間案内グループと協力して動作する。そこでは、駆動磁石の極性を詳しく記載していない。特許文献６は、同じく転轍機を有するが、移送ユニットの各側にそれぞれ６個の駆動磁石を有する長固定子リニアモーターを開示している。
【先行技術文献】
【特許文献】
【０００８】
【特許文献１】米国特許登録第９，４２８，３４７号明細書
【特許文献２】国際特許公開第２０１２／１０１００４号明細書
【特許文献３】国際特許公開第２０１５／０４２４０９号明細書
【特許文献４】国際特許公開第２０１０／０８５６７０号明細書
【特許文献５】国際特許公開第２０１４／０４７１０４号明細書
【特許文献６】欧州特許公開第３０４４３７３号明細書
【発明の概要】
【発明が解決しようとする課題】
【０００９】
本発明の課題は、長固定子リニアモーターで動作させて使用した時の向きを簡単に決定できる、長固定子リニアモーターのための移送ユニットを提示するとともに、移送ユニットの向きを決定するための方法を提示することである。
【課題を解決するための手段】
【００１０】
この課題は、移送ユニットが、第一の磁石側において第一の長手方向の延びの中心から第一の終端の方向に向かって第一の検査間隔で第一の値の磁気変数を有するとともに、第一の磁石側において第一の長手方向の延びの中心から第一の始端の方向に向かって第一の検査間隔で、第一の値と異なる第二の値の磁気変数を有することによって解決される。第一の案内グループは、第一の案内側に有るが、例えば、移送ユニットの二つ以上の側に渡って延びることもできる。移送ユニットの移動方向を長手方向と称し、それと交差する方向を横方向と称する。右巻きとの意味で長手方向と横方向から得られる方向を高さ方向と見做す。このデカルト座標系の原点は、各移送ユニットの基本物体の中心に置かれ、それによって、この座標系は、それぞれ移送ユニットと一緒に移動するが、回転時には一緒に移動しない。従って、「側方に配置」とは、原点と関連して呼ばれるものであり、横方向及び／又は高さ方向におけるずれが存在することを意味する。そのため、基本的に移送ユニットにおける案内側が原点から見て横方向及び／又は高さ方向に有るのか否かは重要ではない。第一の案内グループが案内に関して対称的であることが重要である。「案内に関して対称的である」とは、一方において、案内グループが、各移動方向における、即ち、ここでは、長手方向に沿った移送ユニットの移動を可能にするために、長固定子リニアモーターの移送区間の第一の区間案内グループと協力して動作するのに適していることを意味する。しかし、他方において、「案内部品が案内に関して対称である」ことは、移送ユニットが横方向に沿って存在する軸の周りを１８０度回転した後に、案内部品が、引き続き回転した移送ユニットを長手方向に動かすことができるように、移送区間の第一の区間案内グループと協力して動作できることをも意味する。
【００１１】
一つの案内グループが、例えば、案内側に取り付けられた一つの案内部品、例えば、レールの形の区間案内グループの区間案内部品と協力して動作する一つの案内部品、例えば、一つのローラーだけから構成される場合、この案内部品は、一つの移動方向に案内することが可能である。しかし、この案内グループは、横方向の周りの１８０度の回転後に、案内に関して対称的であるように、その時々の長手方向に案内することも可能でなければならない。このことは、基本的に、ローラーを案内グループの単一の案内部品とした場合に、特に、それが移送ユニットにおいて高さ方向に関して中央に配置されている場合に与えられる。しかし、ローラーが高さ方向に関して中央に、即ち、原点の高さに配置されていない場合、横方向の周りを１８０度回転した後の移送ユニットは、ずれた形で移送区間上を案内される。それによって、移送ユニットが確かに基本的には案内に関して対称的であるが、そのような考え得るずれは、長固定子リニアモーターの構造的な実現形態において考慮しなければならず、望ましくないとすることもできる。
【００１２】
案内グループが、移送ユニットの上方の正の高さ方向に向かって第一の間隔の所に取り付けられた第一のローラーの形の一つの案内部品と、負の高さ方向に向かって同じ間隔の所に取り付けられた同様の第二のローラーの形の一つの案内部品とから構成される場合、この案内グループの側方において案内に関して対称的であると規定される。当然のことながら、移送ユニット自体も構造的に横方向の周りに回転することが可能でなければならない。更に、この場合、例えば、正の高さ方向における第一のレールの形の区間案内部品と負の高さ方向における同様の第二のレールの形の区間案内部品から構成される、それに対応する区間案内グループは、移送ユニットが「標準的なむき」である場合及び移送ユニットが長手方向に沿って１８０度回転した場合に、それぞれローラーと協力して動作することができる。そのことは、当然のことながら、区間案内グループが同じく案内に関して対称的でなければならないことを意味する。これらのローラーとそれに対応する正及び負の高さ方向におけるレールは、それぞれ互換性が無く交換可能でない場合（互換性が有るとは、必ずしもそれらが同じ形で構成されていることを意味しない）、長手方向における案内が可能であるにも関わらず（しかし、移送ユニットが長手方向において１８０度回転した後では不可能であるので）、それらは案内に関して対称的ではない。
【００１３】
本課題は、同じく本発明による方法によって解決され、その方法では、長手方向に関して側方に存在する一つの磁石側における一つの検査点で、磁気検査変数の実際値を検出して、基準値と比較し、この実際値が基準値と一致しない場合に、移送ユニットが誤った向きに有ると推定する。このことは、実際値が基準値と一致する場合に、移送ユニットが正しい標準的な向きに有ると推定することを意味する。誤った向きを検出した場合、例えば、信号を出力することができる。
【００１４】
本発明による方法は、簡単な手法で移送区間に対する移送機器の向きを、即ち、移送ユニットが標準的な向きに有るのか、或いは移送ユニットが横方向に存在する軸の周りを１８０度回転したのかを検査することを可能にする。それに関する前提条件は、当然のことながら、案内に関して対称であることである。標準的な向きから逸脱した向きを検知するためには、その時々の検査点において標準的な向きの場合に期待される検査変数の実際値に等しい磁気検査変数の基準値が、その基準値をその検査点で実際に検出された磁気検査変数の実際値と比較できるように既知でなければならない。磁気検査変数の実際値が基準値と一致しない場合、移送ユニットが横方向に存在する軸の周りを回転していると結論付けることができる。
【００１５】
本発明による方法は、本発明による移送ユニットにおいて、検査点が検査間隔の所と一致する場合に使用することができる。即ち、基本的には、検査点が正の長手方向、即ち、移動方向に向かって検査間隔の所に有るのか、或いは負の長手方向、即ち、移動方向と逆方向に向かって検査間隔の所に有るのかを確認する。そのため、例えば、磁気検査変数の基準値は（第一の終端の方向に向かって第一の検査間隔の所の）第一の値に等しい。実際値が基準値と一致する場合、移送ユニットは標準的な向きに有る。実際値が（第一の始端の方向に向かって第一の検査間隔の所の）第二の値と一致する、そのため、第一の値と一致しない場合、移送ユニットは誤った向きに有る。
【００１６】
即ち、移送ユニットの向きを決定する場合、移送ユニットが移送区間に有る時に、一つの検査点における磁気検査変数の実際値が検出される。この場合、前述した通り、検査変数を磁気変数に対応付けることができ、それによって、基準値はその値に等しく、標準的な向きにおける実際値とも一致する。しかし、検査変数は、移送ユニットの磁石及び／又は磁気を通す材料（例えば、磁石板）と共に移送区間の駆動コイルから構成される磁気回路によっても生成することができる。それ故、磁気変数に相当する検査変数を検出することもできる。その場合、当然のことながら、検査変数の実際値と磁気変数の値は互いに相関を有さなければならない、即ち、相互に導出可能でなければならない。当然のことながら、実際値の代わりに、推移を観測して、基準値の推移と比較することもできる。
【００１７】
この横方向に存在する軸の周りの回転を検出するための磁気検査変数の実際値の検査は、第二の数の磁石が第二の磁石側に存在するのか否かに関係無く実施することができる。
【００１８】
また、本課題は、案内に関して対称的であるか、案内に関して互いに同等であるか、或いはその両方である第一の案内グループと第二の案内グループを有する移送ユニットによって解決され、この移送ユニットは、第一の磁石側において、第一の長手方向の延びの中心から第一の終端の方向に向かって第一の検査間隔で第一の値の磁気変数を有し、この移送ユニットは、第一の磁石側において、第一の長手方向の延びの中心から第一の始端の方向に向かって第一の検査間隔で、第一の値と異なる第二の値の磁気変数を有し、この移送ユニットは、第一の磁石側において、第一の長手方向の延びの中心から第一の終端の方向に向かって第一の検査間隔で、第一の値の磁気変数を有し、この移送ユニットは、第一の磁石側において、第一の長手方向の延びの中心から第一の終端の方向に向かって第一の検査間隔で、第一の値と異なる第二の値の磁気変数を有し、この移送ユニットは、第二の磁石側において、第二の長手方向の延びの中心から第二の終端の方向に向かって第二の検査間隔で第三の値の磁気変数を有し、この移送ユニットは、第二の磁石側において、第二の長手方向の延びの中心から第二の始端の方向に向かって第二の検査間隔で、第三の値と異なる第四の値の磁気変数を有する。
【００１９】
両方の案内グループがそれぞれ案内に関して対称的である場合、上述した本発明による方法に基づき、それに追加して、或いはそれに代わって、第二の磁石側において、第一の磁石側と同様に、検査点における磁気変数の実際値の検査による確認を行なうことができる。この場合、検査点は、又もや長手方向の延びの中心から検査間隔の所と一致する。実際値と基準値が一致する場合、移送ユニットが標準的な向きに有ると結論付けることができる。それらが一致しない場合、移送ユニットが横方向に存在する軸の周りを１８０度回転していると結論付けることができる。当然のことながら、常に前提条件は、検査点における磁気変数の基準値が既知であることである。
【００２０】
案内グループが互いに案内に関して同等である場合、有利には、第一の案内側が第二の案内側に対して対向して有り、第一の磁石側が第二の磁石側に対して対向して有り、第一の長手方向の延びの中心が第二の長手方向の延びの中心に対して対向して有り、第一の磁石側では、長手方向に沿った検査位置で第五の値の磁気変数を有し、第二の磁石側では、長手方向に沿った検査位置で、第五の値と異なる第六の値の磁気変数を有する。ここで、「逆側」とは、原点又は原点を通る長手方向の軸に関して逆側であることを意味する。二つの磁石側は、同じ長手方向の延びを有することもでき、そのため、長手方向の延びの中心の外に、第一及び第二の磁石側の始端及び終端もそれぞれ互いに対向して有る。
【００２１】
案内グループに関して、「案内に関して同等である」とは、それらが互いに交換可能である、即ち、移送ユニットを長手方向に有る軸又は高さ方向に有る軸の周りに１８０度回転できることを意味する。そのような回転の前に、第一の案内グループの案内部品は第一の区間案内グループの区間案内部品と協力して動作する、例えば、係合し、第二の案内グループの案内部品は第二の区間案内グループの区間案内部品と係合する。第一の案内グループと第二の案内グループは、例えば、長手方向に沿って互いに対称的である場合に、互いに案内に関して同等であることを保証することができる。長手方向に有る軸の周りの期待される回転後には、第一の案内グループの案内部品が第二の区間案内グループの区間案内部品と協力して動作するとともに、第二の案内グループの案内部品が第一の区間案内グループの区間案内部品と協力して動作することとなる。
【００２２】
そのような移送ユニットでは、本発明による方法により一つの検査点における磁気検査変数の実際値を検出することによって、長手方向に有る軸の周りの１８０度の回転も検知することができる。そのためには、検査点が第一又は第二の磁石側における検査位置の所と一致して、検査点での検査変数の実際値とそれに対応する基準値の比較が行われる。検査変数の基準値は、例えば、第五の値に等しく、実際値は、予想される第一の磁石側の第一の検査位置の形の検査点において検出される。磁気検査変数の検出された実際値が基準値と一致する場合、移送ユニットが標準的な向きに有る、即ち、検査点が実際に第一の磁石側に有ると結論付けることができる。しかし、実際の検査変数として、例えば、第六の値が検出され、そのため、基準値と一致しない場合、長手方向に有る軸の周りを回転していると結論付けることができる。即ち、検査点が第二の磁石側に有ることが確認される。
【００２３】
第一の検査間隔の所が第二の検査間隔の所及び検査位置と一致するのが極めて特に有利である。それによって、一つの箇所（第二の検査間隔の所と一致するとともに、検査位置の所と一致する第一の検査間隔の所）における磁気変数の値の検査によって、長手方向に存在する軸の周りと横方向に存在する軸の周りの両方の回転を検知することができる。そのことは、長手方向に存在する軸の周りと横方向に存在する軸の周りの両方における移送ユニットの向きを確認するために、移送ユニットの一つの検査箇所における磁気検査変数の実際値だけを決定すればよいことを意味する。従って、この検査箇所は、（非）回転の様態に応じて、第一の検査間隔又は第二の検査間隔の所、或いは検査位置と一致し、そのことは、既に述べた通り、実際値と基準値の比較によって確認される。しかし、この場合、横方向と長手方向の両方の周りの回転は、それにより誤って標準的な向きであると解釈されてるかもしれない。しかし、簡単な回転を検出するのと比べて、そのような二重の回転は非常に稀であり、そのため、そのようなケースを無視することができる。案内グループが案内に関して同等である場合、移送ユニットは、高さ方向の周りにも回転することができる。しかし、そのような回転は、上述した実施形態では検知できない。
【００２４】
更に、長手方向に沿って、第一の磁石側での磁気変数の全ての値が、第二の側での磁気変数の値と異なるのが有利である。それによって、当然のことながら、相応の基準値が既知である限り、一つの磁石側に沿った任意の検査箇所における実際値に基づき横方向の周りの回転を検知することができる。
【００２５】
この場合、第一の磁石側での磁気変数の値が第一の長手方向の延びの中心の周りに非対称的であるのが特に有利である。それによって、当然のことながら、同じく基準値が既知である限り、第一の磁石側に沿った任意の検査箇所における実際値に基づき、横方向に存在する軸の周りの回転を検知することができる。第二の磁石側が存在して、長手方向の全体に沿って、第一の磁石側における磁気変数の値が第二の側における磁気変数の値と異なる場合、そのことは、当然のことながら、第二の磁石側での磁気変数の値が第二の長手方向の延びの中心の周りに非対称的であることをも意味する。
【００２６】
また、本課題は、本発明による移送ユニットによって解決され、この移送ユニットは、第一の磁石側において、第一の長手方向の延びの中心から第一の終端の方向に向かって第一の検査間隔で第一の値の磁気変数を有するとともに、第一の磁石側において、第一の長手方向の延びの中心から第一の始端の方向に向かって第一の検査間隔で、第一の値と一致する第二の値の磁気変数を有し、この移送ユニットは、第二の磁石側において、第二の長手方向の延びの中心から第二の終端の方向に向かって第二の検査間隔で第三の値の磁気変数を有し、この移送ユニットは、第二の磁石側において、第二の長手方向の延びの中心から第二の始端の方向に向かって第二の検査間隔で、第三の値と一致する第四の値の磁気変数を有し、これらの第一及び第二の値が第三及び第四の値と異なる。それにより、本発明による方法に基づき、第一及び／又は第二の磁石側での第一の検査間隔の所における磁気検査変数の実際値を検査することによって、移送ユニットが高さ方向の周りに回転しているのかを確認することができる。同様に、第一の検査間隔の所における磁気検査変数の実際値を検査することによって、長手方向に存在する軸の周りの回転を検知できるが、横方向に存在する軸の周りの回転は、この回転が案内に関して同等であることにより可能であったとしても検知できない。高さ方向又は長手方向の周りの回転に関する前提条件は、それぞれ案内グループが互いに案内に関して同等であることである。標準的な向きと一致する向き又は標準的な向きから逸脱した向きの検知は、又もや磁気検査変数のそれぞれ検出された実際値を基準値と比較することによって実施することができる。本方法は、上述した通り適用することができ、ここでは、再度詳しく述べない。
【００２７】
第一の磁石側での長手方向に沿った磁気変数の全ての値が第二の磁石側と異なる値を有することができ、その際、有利には、第一の磁石側での磁気変数の値は、第一の長手方向の延びの中心の周りに対称的であり、第二の磁石側での磁気変数の値は、第二の長手方向の延びの中心の周りに対称的である。それにより、第一の磁石側と第二の磁石側の両方で任意の検査箇所における磁気変数の実際値を検出することによって、横方向又は高さ方向の周りの回転が可能であり、その際、当然のことながら、その時々の基準値が既知でなければならない。
【００２８】
磁気変数は、有利には、第一の磁石側に取り付けられた第一の磁石板又は第二の磁石側に取り付けられた第二の磁石板の磁気抵抗によって規定することができる。磁石板は、通常磁気を良く通す材料から構成され、そのような磁石板には、例えば、それぞれ第一又は第二の数の磁石が取り付けられる。即ち、例を挙げると、例えば、検査間隔の所又は検査点などの所定の箇所における長手方向に沿った移送ユニット、例えば、移送ユニットの基本物体又はそこに取り付けられた磁石板の磁気抵抗を変えることができる。このことは、厚さ及び／又は材料組成、窪み等の相違によって実現することができる。このアプローチでは、磁気変数が移送ユニットによってのみ規定される。しかし、磁気変数は、磁気抵抗である必要はなく、例えば、周知の通り、磁気抵抗からの直接的な影響を受ける、移送ユニットに配置された磁石が発生する磁極又は磁気流量であるとすることもできる。
【００２９】
従って、その時々の検査間隔の所又は検査位置における磁気変数の値は、移送ユニットにおける構造的な措置（磁石の強さ、位置や極性、磁石板の厚さや材料等）によって定義することができる。
【００３０】
磁気検査変数は、如何なるセンサーが無くとも、例えば、既に存在するコイル制御部を通るように存在する磁気回路を同定することによって検出することができる。そのために、例えば、移送ユニットが停止している場合でも、高周波電圧信号を駆動コイル内に印加して、発生した電流信号、即ち、電流応答を解析する。電流と電圧の間の関係は、特に、インダクタンスに依存し、そのインダクタンスは、更に、磁気抵抗に依存する。本発明では、異なる検査間隔の所又は検査位置における移送ユニットの磁気抵抗が異なる場合、個々のコイルの電流の推移が移送ユニットの向きに応じて異なる。即ち、電流応答の決定と解析及び検査変数の実際値と基準値の比較によって、移送ユニットの向きを推定することができる。移送ユニットが動いている場合、磁気検査変数の実際値を推定するために、例えば、移送ユニットの動きにより引き起こされる逆起電力電圧を用いることができる。この逆起電力電圧は、磁気回路における磁気流量の時間変化に比例する。磁気変数の異なる値のために磁気流量が変化した場合、そのことは、駆動コイルを用いて確認することができ、そのため、移送ユニットの向きを推定することができる。例えば、磁石側の始端の方向に向かって第一の検査間隔で磁石側の終端の方向よりも小さい磁気抵抗が与えられた場合、より大きな磁気流量のために、駆動コイルを介して、終端よりも大きな電圧が始端に誘導される。
【００３１】
第一の磁石側に第一の数の磁石を配置するか、或いは第二の磁石側に第二の数の磁石を配置するのが極めて特に有利であり、それらの磁石は、それぞれ横方向に向かって極性を規定され、磁気変数は、第一の数の磁石又は第二の数の磁石の極性によって与えられる。その時々の検査間隔の所又は検査位置における異なる極性によって、移送ユニットの向きの特に簡単な確認を可能にすることができる。この極性は、当然のことながら、同じく磁気回路内の磁気流量に影響し、それによって、前述したことと同様に、磁気流量から検出することができる。
【００３２】
しかし、一つの検査間隔の所又は一つの検査位置における磁気変数は、移送区間に取り付けられた好適なセンサー、例えば、磁界センサーによって検知することもできる。そのような磁界センサーを用いて、磁界の強さ又は極性を測定するとともに、所定の磁界センサーを用いて、磁界の極性を測定することもでき、それによって、移送ユニットの向きを推定することができる。
【００３３】
この場合、磁気変数、例えば、磁石の極性の値は、常に一つの磁石側における移送ユニットの中心を基準点として観測される。特に、極性が磁気変数として用いられる場合、磁石の外側を向いた側の極性が比較される。当然のことながら、同じく、きっと横方向に向かって極性を付与されているので、磁石の内側を向いた側を比較することもできる。
【００３４】
即ち、例えば、両方の磁石側での長手方向に沿った磁気変数の値が異なる場合、そのことは、磁気変数が磁石の極性によって規定されるケースに関して、長手方向に沿った第一の磁石側の全ての磁石が外側に向かって第二の磁石側の磁石と異なる極性を有することを意味する。そのことは、第一の磁石側の磁石が長手方向に関して第二の磁石側の磁石に対して非対称的な極性を有することを意味し、そのため、長手方向の周りの回転は、各磁石の極性に基づき、即ち、任意の箇所において検知することができる。
【００３５】
例えば、これらの磁石側の同じ形態に構成された磁石は、長手方向に交互に正と負の極性を付与することができる。それによって、長手方向の延びの中心の周りに対称的である場合には、磁石側毎に奇数個の磁石となり、非対称である場合には、偶数個の磁石となる。
【００３６】
長固定子リニアモーターは、本発明に基づく少なくとも一つの移送ユニットと移送区間を有し、この移送区間は、この少なくとも一つの移送ユニットを移送区間に沿って移動方向に案内するために、第一の案内グループ及び／又は第二の案内グループと協力して動作する第一の区間案内グループ及び／又は第二の区間案内グループを有する。
【００３７】
このことは、長固定子リニアモーターが第一の区間案内グループを有する一つの移送区間を備えることができ、この少なくとも一つの移送ユニットは、第一の案内グループを有する。即ち、第一の区間案内グループは、この少なくとも一つの移送ユニットを移送区間に沿って移動方向に案内するために、第一の案内グループと協力して動作する。この移送ユニットは、上述した通り、横方向に存在する軸の周りを回転することができ、それにより、更に、第一の区間案内グループが第一の案内グループと協力して動作するとともに、少なくとも一つの移送ユニットが、「回転した形で」移送区間に沿って移動方向に案内される。
【００３８】
長固定子リニアモーターは、第一の区間案内グループと第二の区間案内グループを有する一つの移送区間を備えることもでき、この少なくとも一つの移送ユニットは、第一の案内グループと第二の案内グループを有することができる。この第一の区間案内グループは、第一の案内グループ又は第二の案内グループと協力して動作するとともに、この第二の区間案内グループは、第二の案内グループ又は第一の案内グループと協力して動作する。この少なくとも一つの移送ユニットは、基本的に標準的な向きで移送区間に沿って移動方向に案内される。この移送ユニットは、本発明では、上述した通り、横方向、長手方向又は高さ方向に存在する軸の周りを回転することができ、その際、第一の案内グループと第二の案内グループも場所を入れ換えることができ、それ故、その時々の別の区間案内グループと協力して動作することができる。即ち、移送ユニットは、回転後に「回転した形で」移送区間に沿って移動方向に案内することができる。
【００３９】
以下において、例えば、本発明の有利な実施形態を模式的に本発明を限定しない形で図示した図１〜６ｄと関連して本発明を詳しく説明する。
【図面の簡単な説明】
【００４０】
【図１】長固定子リニアモーターの模式図
【図２】一つの磁石板を備えた移送ユニットの斜視図
【図３ａ】標準的な向きの状態での一つの磁石板を備えた移送ユニットの側面図
【図３ｂ】横方向の周りに回転した状態での一つの磁石板を備えた移送ユニットの側面図
【図４】二つの磁石板を備えた移送ユニットの斜視図
【図５ａ】移送ユニットの第一の実施形態の側面図
【図５ｂ】標準的な向きの状態での移送ユニットの第一の実施形態の側面図
【図５ｃ】横方向に存在する軸の周りに回転した状態での移送ユニットの第一の実施形態の側面図
【図５ｄ】長手方向に存在する軸の周りに回転した状態での移送ユニットの第一の実施形態の側面図
【図６ａ】二つの磁石板を備えた移送ユニットの第二の実施形態の側面図
【図６ｂ】標準的な向きの状態での移送ユニットの第二の実施形態の側面図
【図６ｃ】長手方向に存在する軸の周りに回転した状態での移送ユニットの第二の実施形態の側面図
【図６ｄ】高さ方向に存在する軸の周りに回転した状態での移送ユニットの第二の実施形態の側面図
【発明を実施するための形態】
【００４１】
図１は、長固定子リニアモーター２の簡単な例を図示している。この場合、長固定子リニアモーター２は閉じた移送区間２０として実現されている。この移送区間２０には、移動磁界を発生させるために、（幾つかの駆動コイルＳｍに対してのみ図示された）制御ユニットＲの制御の下で、（絶対値と方向を有するベクトルとしての）コイル電流ｉＡを流される多数の駆動コイルＳｍが配置されている。これらの移動方向に順番に配置された駆動コイルＳｍは、移送区間２０における（図１にだけ表示された）位置を固定された保持構造物３に配置されている。移送ユニット１は、移送区間２０に沿って移動方向に動かされ、そのために、それぞれ好適な手法により固定して配置された移送区間２０を案内される。
【００４２】
移動方向は、移送ユニット１から見て長手方向ｘと一致する。移送ユニット１は、側方に配置された第一の数ｋの磁石Ｍ１１，．．．，Ｍ１ｋを有し、これらの磁石は、ここでは、長手方向ｘに関して側方に有る第一の磁石側Ｓ１に存在する。図１に図示されている通り、移送ユニット１は、有利には、更に、側方に配置された第二の数ｌの磁石Ｍ２１，．．．，Ｍ２ｌを有し、これらの磁石は、ここでは、長手方向ｘに関して側方に有る第二の磁石側Ｓ２に存在して、第二の磁石側Ｓ２は第一の磁石側Ｓ１に対して対向して有る。移送ユニット１が二つの側（ここでは、磁石側Ｓ１，Ｓ２）にそれぞれ第一の数ｋの磁石Ｍ１１，．．．，Ｍ１ｋ又は第二の数ｌの磁石Ｍ２１，．．．，Ｍ２ｌを有する場合、それに対応して、（移動方向に見て）移送区間２０の両側に、それぞれ、移送ユニット１の動きを引き起こすために、各磁石Ｍ１１，．．．，Ｍ１ｋ，Ｍ２１，．．．，Ｍ２ｌと協力して動作する駆動コイルＳｍを配備することができる。そのために、有利には、磁石Ｍ１１，．．．，Ｍ１ｋ，Ｍ２１，．．．，Ｍ２ｌの領域内の駆動コイルＳｍにのみ電流が流され、この領域は、移送ユニット１の前及び／又は後に有る駆動コイルＳｍを包含することもできる。自明のことながら、移送区間２０に沿って、二つ以上の移送ユニット１を動かすこともでき、その際、移送ユニット１の領域内の駆動コイルＳｍに相応の電流を流すことによって、（方向、位置、速度及び加速度に関して）それ以外の移送ユニット１と関係無く、各移送ユニット１を動かすことができる。この場合、移送区間２０は、用途及び必要に応じて、任意の形状にすることができ、閉じた区間部分及び／又は開いた区間部分から構成することができる。移送区間２０は、一つの面内に存在しなければならないのではなく、空間内に任意に敷設することもできる。長固定子リニアモーター１の基本的な動作原理は、十分に知られており、そのため、ここでは、更にそのことに言及しない。
【００４３】
向きを記述するために、三次元デカルト座標系を出発点として、ｘ方向を長手方向ｘと称し、ｙ方向を横方向ｙと称し、周知の通り右巻きとの意味においてｘ方向とｙ方向から得られるｚ方向を高さ方向ｚと称する。デカルト座標系の原点は、各移送ユニット１の基本物体２の中心に位置し、それによって、この座標系は、それぞれ移送ユニット１と共に移動する。ｘ方向とｚ方向に関する磁石Ｍ１１，．．．，Ｍ１ｋ，Ｍ２１，．．．，Ｍ２ｌの幾何学的な中点を中心と見做すことができる。二つの磁石側Ｓ１，Ｓ２が規定された場合、ｙ方向における中心は、二つの磁石側Ｓ１，Ｓ２の間の中央に有るとすることができる。移送ユニット１が長固定子リニアモーター２の固定子上を長手方向ｘに動くことを出発点とする。この場合、長手方向ｘは、常に、ほぼ移送区間２０によって規定される、移送ユニット１の移動方向を表す。移送区間２０の曲がった区間部分では、当然のことながら、移動方向は、その曲線部分に対する接線である。そのため、移動方向は、基本的に移送区間の実現形態に応じて空間内の任意の方向を向くことができる。
【００４４】
しかし、座標系の軸の向きは、当然のことながら、図面の実現形態に制限されるのではなく、基本的に任意である。例えば、駆動コイルＳと磁石Ｍ１１，．．．，Ｍ１ｋ，Ｍ２１，．．．，Ｍ２ｌが側方ではなく、上方及び／又は下方に配置された長固定子リニアモーター１を実現することができる。それによって、例えば、ｙ軸とｚ軸が符号に適合させた上で場所を入れ換えるかもしれない。
【００４５】
正の横方向ｙに有る、移送ユニット１の少なくとも一つの第一の案内側ＦＳ１には、第一の案内グループＧ１が配置されている。この第一の案内側ＦＳ１は、図１に図示されている通り、有利には、第一の磁石側Ｓ１と一致することができるが、移送ユニット１の別の側に存在することもできる。この第一の案内グループＧ１は、図１に表示されている通り、長手方向ｘにおける基本物体１０の前と後の部品から構成することができる。それに代わって、第一の案内グループＧ１は、図２及び３に表示されている通り、高さ方向ｚにおいて基本物体１０の上方と下方に有る案内部品から構成することもできる。当然のことながら、第一の案内グループＧ１は、専ら移動方向ｘに関して前又は後に有る案内部品、高さ方向ｚに関して上方又は下方に有る案内部品又は正の横方向ｙに関して基本物体１０の傍に有る案内部品から構成するか、或いはそのような案内部品の任意の組合せから構成することもできる。
【００４６】
同様に、負の横方向−ｙに有る、移送ユニット１の第二の案内側ＦＳ２にも、第二の案内グループＧ２を配置することができ、この案内グループは、更に、長手方向ｘに関して前及び／又は後に有る個別の案内部品か、高さ方向ｚに関して上方及び／又は下方に有る個別の案内部品か、負の横方向−ｙに関して基本物体１０の傍に有る個別の案内部品か、或いはそれらの組合せから構成することができる。第二の案内グループＧ２は、第一の案内グループＧ１と同様に構成することができるが、必ずしも同様に構成する必要はない。
【００４７】
移送区間２０には、常に、移送ユニット１を移送区間２０に沿って移動方向に、即ち、ここでは、長手方向ｘに案内するために、移送ユニット１の案内側ＦＳ１，ＦＳ２における案内グループＧ１，Ｇ２の部品と協力して動作する少なくとも一つの区間案内グループ２１，２２を配備しなければならない。移送ユニット１が二つの案内側に二つの案内グループＧ１，Ｇ２を備えている場合、移送区間２０は、少なくとも部分的に二つの側に、それぞれ移送ユニット１の案内グループＧ１，Ｇ２の部品と協力して動作する区間案内グループ２１，２２を備えることができる。それによって、二つの側の区間部分には、移送ユニット１の二つの側の案内が実現される。そのため、二つの側の区間部分では、運搬車両１が、二つの案内側における案内グループＧ１，Ｇ２と区間案内グループ２１，２２の協力した動作によって、移動方向ｘに案内される。当然のことながら、たとえ、移送ユニット１が、図１にも図示されている通り、二つの案内側に二つの案内グループＧ１，Ｇ２を有しても、少なくとも部分的に一つの側で案内すると規定することもできる。ここでは、図１の右側に有る二つの移送区画においてのみ、二つの側での案内が規定されている。一つの側による区間部分では、その逆側の実現形態に関係無く移送ユニット１を移動方向ｘに案内するために、移送区間２０の一つの側にのみ、区間案内グループ２１，２２が配置されている。
【００４８】
ローラー、ホイール、スライド部品、案内面、スライド面などの様々な部品から成る案内グループＧ１，Ｇ２を配備することができ、区間案内部品２１，２２は、当然のことながら、その中で案内グループＧ１，Ｇ２の各部品を案内できるように構成されなければならない。駆動コイルＳｍは、有利には、コンパクトな形態を実現するために、区間案内グループ２１の領域内に、例えば、同じく保持構造物３に配置される。当然のことながら、駆動コイルＳｍを区間案内グループ２１，２２又は区間案内部品と異なる側に置くことも考えられ、それによって、当然のことながら、駆動磁石も案内グループＧ１，Ｇ２の部品の側に存在する必要はない。
【００４９】
案内グループＧ１，Ｇ２と区間案内グループ２１，２２は、当然のことながら、様々な手法により実現することができる。本発明にとって、移送区間２０に一つの案内グループＧ１とそれに対応する第一の区間案内グループ２１だけを備えた移送ユニットでは、この案内グループＧ１が案内に関して対称的であることが決定的に重要である。そのことは、第一の案内グループＧ１が、移動方向への、即ち、ここでは、長手方向ｘに沿った移送ユニット１の動きを実現できるように、移送区間２０の第一の区間案内グループ２１と協力して動作するのに適していることと、移送ユニット１が横方向ｙに存在する軸の周りを１８０度回転した後に、第一の案内グループＧ１が、更に、回転した移送ユニット１の移動方向への動きを可能にするために、移送区間２０の第一の区間案内グループ２１と協力して動作できることとを意味する。このことは、第一の案内グループＧ１が「前進」及び「後進」に関して第一の区間案内グループ２１と協力して動作できることを意味する。座標系が移送ユニット１と共に回転しないので、回転後の移動方向は、依然として正の長手方向ｘと一致する。第二の案内グループＧ２が存在して、それが少なくとも区間部分２０において第二の区間案内グループ２２と協力して動作する場合、第二の案内グループＧ２に関しても、案内に関して対称的な移送が成り立つ。
【００５０】
即ち、案内に関して対称的であることは、移送ユニット１が横方向ｙに有る軸の周りを１８０度回転できることの基本的な前提条件である。例えば、移送区間２０上の転轍機又は手動により移送区間２０上に置かれた移送ユニット１が回転したために、そのような回転が起こった場合、本発明に基づき誤った向きを検出することが可能である。
【００５１】
基本的に第一の磁石側Ｓ１に配置された第一の数ｋの磁石Ｍ１１，．．．，Ｍ１ｋを備えた移送ユニット１と、第一の磁石側に対して、有利には逆側であるが、必ずしも逆側ではない第二の磁石側Ｓ２に配置された第二の数ｌの磁石Ｍ２１，．．．，Ｍ２ｌを備えた移送ユニット１とを区別する。第一の数ｋの磁石Ｍ１１，．．．，Ｍ１ｋ又は第二の数ｌの磁石Ｍ２１，．．．，Ｍ２ｌは、それらが移送ユニット１の移動方向に順番に配置されたＬＬＭ固定子の駆動コイルと協力して動作できるように、移送ユニット１に取り付けられている。そのために、第一の数ｋの磁石Ｍ１１，．．．，Ｍ１ｋを第一の磁石板Ｐ１に取り付けるとともに、第二の数ｌの磁石Ｍ２１，．．．，Ｍ２ｌを第二の磁石板Ｐ２に取り付けることができる。第一の側の第一の数ｋの磁石Ｍ１１，．．．，Ｍ１ｋ及び／又は第二の側の第二の数ｌの磁石Ｍ２１，．．．，Ｍ２ｌは、ＬＬＭ固定子の一つの側のそれに対応する駆動コイルと協力して動作することができる。
【００５２】
本発明では、後で図２及び３に基づき詳しく述べる通り、移送ユニット１は、長手方向ｘに沿って第一の始端ｌ１ａから第一の終端ｌ１ｅにまでの第一の長手方向の延びｌ１に渡って延びる第一の磁石側Ｓ１において、第一の長手方向の延びｌ１の中心から第一の終端ｌ１ｅの方向に向かって第一の検査間隔ａ１で第一の値ｗ１の磁気変数を有し、第一の長手方向の延びｌ１の中心から第一の始端ｌ１ａの方向に向かって第一の検査間隔ａ１で、第一の値ｗ１と異なる第二の値ｗ２の磁気変数を有する。
【００５３】
この磁気変数が、例えば、第一の磁石板Ｐ１又は第二の磁石板Ｐ２の磁気抵抗を表す場合、第一の長手方向の延びｌ１の中心から第一の終端ｌ１ｅの方向に向かって第一の検査間隔ａ１での磁気抵抗の値が第一の長手方向の延びｌ１の中心から第一の始端ｌ１ａの方向に向かって第一の検査間隔ａ１での磁気抵抗の値と異なる値を有するようにすることだけに配慮しなければならない。このことは、例えば、移送機器１の磁石板Ｐ１，Ｐ２又はそれ以外の磁気を通す部品の厚さ及び／又は材料組成、窪み等の相違によって実現することができる。
【００５４】
基本的に、磁気変数の種類は当業者にとって任意に選択可能である。以下では、第一の数ｋの磁石Ｍ１１，．．．，Ｍ１ｋ又は第二の数ｌの磁石Ｍ２１，．．．，Ｍ２ｌの極性ｎ，ｓを磁気変数として、本発明を例示して説明する。ここでは、例えば、第一の磁石板Ｐ１に取り付けられた第一の数ｋの磁石Ｍ１１，．．．，Ｍ１ｋ、或いは（存在する場合に）、ここでは、例えば、第二の磁石板Ｐ２に取り付けられた第二の数ｌの磁石Ｍ２１，．．．，Ｍ２ｌの配置形態と極性を取り上げることとする。
【００５５】
図２は、移送ユニット１の斜視図を図示している。長固定子リニアモーターの移送ユニット１は、基本的に簡単化のために直方体形状と仮定した、第一の磁石側Ｓ１を有する基本物体１０から構成される。この第一の磁石側Ｓ１は、長手方向ｘに第一の長手方向の延びｌ１に渡って延びるとともに、高さ方向ｚに第一の高さｈ１に渡って延びている。例えば、構造部分収容部などの移送ユニット１のそれ以外の考え得る周知の構成部品は、簡単化のためと、それらが本発明の理解にとって重要ではないので図示されていない。この基本物体１０の第一の磁石側Ｓ１には、正の横方向ｙに第一の磁石板Ｐ１の第一の数ｋの板形状の磁石Ｍ１１，．．．，Ｍ１ｋが配置されている。第一の数ｋの磁石Ｍ１１，．．．，Ｍ１ｋは、それぞれ長手方向ｘに第一の磁石の長さｘ１に渡って延びるとともに、高さ方向ｚに第一の磁石の高さｚ１で延びて、横方向ｙに第一の磁石の厚さｙ１を有する。
【００５６】
基本物体１０には、第一の案内グループＦＧ１が第一の案内側ＦＳ１の正の高さ方向ｚに取り付けられ、別の第一の案内グループＦＧ１が第二の案内側ＦＳ２の負の高さ方向−ｚに取り付けられている。この場合、第一の案内グループＦＧ１が、一点鎖線で表示された第一の区間案内グループ２１と協力して動作して、案内に関して対称的である、即ち、長手方向ｘへの移送ユニット１の案内が、標準的な向きにおいても、横方向に存在する軸の周りに１８０度回転した後でも可能である。ここでは、そのことが、負の高さ方向−ｚに取り付けられた第一の案内グループＦＧ１が正の高さ方向ｚに取り付けられた第一の案内グループＦＧ１に対して対称的であることによって実現されている。それらに対応する第一の区間案内グループ２１は、当然のことながら、同じく案内に関して対称的でなければならなず、そのことは、ここでは、同じく区間案内グループ２１の対称性によって実現されている。
【００５７】
図２に図示された移送ユニット１は、第一の磁石側Ｓ１に第一の数、ここでは、ｋ＝６個の磁石Ｍ１１，Ｍ１２，Ｍ１３，Ｍ１４，Ｍ１５，Ｍ１６を有し、これらの磁石は、ここでは、第一の磁石板Ｐ１に取り付けられている。ここでは、個々のｋ＝６個のＭ１１，．．．，Ｍ１６は、一般的ではあるが、必ずしも必要ではない同じ寸法を有し（即ち、第一の磁石の長さｘ１、第一の磁石の高さｚ１及び第一の磁石の厚さｙ１と同じであり）、より簡単に図示するために、高さ方向ｚに基本物体１０の第一の側の縁にまで延びている。更に、ｋ（ここでは、６）個の磁石Ｍ１１，．．．，Ｍ１ｋが、有利には、長手方向ｘに順番に、それぞれ基本物体１０の第一の側の縁にまで配置されており、そのことは、第一の数ｋの磁石Ｍ１１，．．．，Ｍ１ｋの磁石の長さｘ１の合計が、有利には（ｋ個の磁石Ｍ１１，．．．，Ｍ１ｋが直に接して置かれている場合に）、基本物体の第一の長手方向の延びｌ１に等しいことを意味する。この第一の磁石側Ｓ１は、図示された実施形態では、有利には、第一の案内側ＦＳ１と一致する。
【００５８】
ｋ（ここでは、６）個の磁石Ｍ１１，．．．，Ｍ１ｋは、横方向ｙにそれぞれＮ極ｎからＳ極ｓ又はその逆の極性を有し、そのことは、個々のｋ個の磁石Ｍ１１，．．．，Ｍ１ｋの原点、即ち、移送ユニット１の中心の方を向いた側（負の横方向−ｙ）がそれぞれ中心と逆の方を向いた側（正の横方向ｙ）と異なる極性を有することを意味する。それに対して、高さ方向ｚと長手方向ｘに関して、第一の数ｋの磁石Ｍ１１，．．．，Ｍ１ｋは、それぞれ揃った極性ｎ，ｓを有する。図２では、ｋ＝６個の磁石Ｍ１１，．．．，Ｍ１ｋが交互の極性を有し、それによって、中心の方を向いた側では、長手方向におけるｋ＝６個の磁石Ｍ１１，．．．，Ｍ１ｋの極性に関して、ｎ−ｓ−ｎ−ｓ−ｎ−ｓの極性配列が得られ、それに対応して、中心と逆の方を向いた側では、ｓ−ｎ−ｓ−ｎ−ｓ−ｎの極性配列が得られている。その結果、中心と逆の方を向いた側の極性ｎ，ｓが常に比較されることとなる。
【００５９】
図３ａ，ｂは、中央の基本物体１０を備えた移送ユニット１のｋ＝６個の磁石Ｍ１１，．．．，Ｍ１ｋのｘｙ平面内における図面を図示している。見易くするとの理由から、第一の案内グループＦＧ１の図が省略されている。基本物体１０には、その中心に、デカルト座標系の原点が有り、第一の磁石側Ｓ１の正の横方向ｙには、磁石板Ｐ１が固定されている。ここでは、第一の磁石板Ｐ１は、第一の磁石側に渡って延びて、第一の長手方向の延びｌ１と第一の板の厚さｂ１を有し、基本物体１０と逆の方を向いた側に、ｋ＝６個の磁石Ｍ１１，．．．，Ｍ１ｋを備えている。これらのｋ＝６個の磁石Ｍ１１，．．．，Ｍ１ｋは、同じ寸法を有する、即ち、（図３ａでは、見易くするために、第一の磁石Ｍ１１にだけ表示された）磁石の長さｘ１、磁石の幅ｙ１及び（ｘｙ平面に対して直角であるために、表示されていない）磁石の高さｚ１が同じである。第一の磁石板Ｐ１と逆の方を向いた側におけるｋ＝６個の磁石Ｍ１１，．．．，Ｍ１ｋの極性配列は、ｓ−ｎ−ｓ−ｎ−ｓ−ｎである。第一の終端ｌ１ｅは、原点から見て、標準的には正の長手方向ｘの側に有り、第一の始端ｌ１ａは負の長手方向−ｘの側に有る。
【００６０】
これらのｋ＝６個の磁石Ｍ１１，．．．，Ｍ１ｋが第一の磁石板Ｐ１上に長手方向ｘに順番に配置されているので、一つの磁石板Ｐ１だけを備えた移送ユニット１は、横方向ｙの周りを１８０度回転することもできる。図３ｂに図示されている通り、横方向ｙの周りの回転後に、第一の終端ｌ１ｅは負の長手方向−ｘの側に有り、第一の始端ｌ１ａは正の長手方向ｘの側に有る。そのことは、ｋ＝６個の磁石Ｍ１１，．．．，Ｍ１ｋの順列が回転しており、そのため、ここでは、第一の磁石板Ｐ１と逆の方を向いた側での極性配列がｎ−ｓ−ｎ−ｓ−ｎ−ｓを表すことを意味する。
【００６１】
横方向ｙの周りの回転は、例えば、ＬＬＭ固定子への移送ユニット１の取付時に起こる可能性が有る。しかし、そのような移送ユニット１を有する長固定子リニアモーターの動作中にも、長固定子リニアモーターの移送区間の形態によって、特に、異なる区間部分が転轍機により互いに接続されている場合に、横方向ｙの周りの移送ユニット１の回転が起こる可能性が有る。
【００６２】
本発明では、ｋ＝６個の磁石Ｍ１１，．．．，Ｍ１ｋの極性が、第一の長手方向の延びｌ１の中心から第一の終端ｌ１ｅの方向に向かって第一の検査間隔ａ１の所の少なくとも一つの磁石Ｍ１１，．．．，Ｍ１ｋが、第一の長手方向の延びｌ１の中心から第一の始端ｌ１ａの方向に向かって第一の検査間隔ａ１の所の磁石と異なる極性ｎ，ｓを有するように規定されており、そのことは、図２又は図３ａ，ｂの実施例において、如何なる任意の検査間隔ａ１に対しても成り立つ。
【００６３】
そのため、本発明による方法に基づき、一つの磁石側Ｓ１での一つの検査点Ｐで磁気検査変数の実際値ｗ０を検出して、基準値と比較することによって、簡単な手法で移送ユニット１の向きを推定することができる。
【００６４】
図示された実施例では、検査変数Ｐが検査点Ｐにおける磁石Ｍ１１，．．．，Ｍ１ｋの極性ｎ，ｓに相当し、その際、検査点Ｐは、第一の磁石板Ｐ１の長手方向の延びｌ１の中心（ここでは、中心は中央に仮定された横方向ｙと交差する）から（移送ユニット１が回転しているのか、或いは標準な向きに有るのかに応じて）正の長手方向ｘ又は負の長手方向−ｘに向かって第一の検査間隔ａ１の所と一致する。この場合、標準的な向きであることの確認は、当然のことながら任意であり、従って、その逆も可能である。
【００６５】
図３ａでは、移送ユニット１が標準的な向きに（即ち、始端ｌ１ａが「前方」に、終端ｌ１ｅが「後方」に）有ると見做している。第六の磁石Ｍ１６は、第一の始端ｌ１ａの方向（ここでは、正の長手方向ｘ）に向かって第一の検査間隔ａ１で横方向ｙに向かってｗ１＝ｎの極性の形の第一の値ｗ１を有する。第一の磁石Ｍ１１は、第一の終端ｌ１ｅの方向（ここでは、負の長手方向−ｘ）に向かった所で、ｓの極性の形の第二の値ｗ２を有する（Ｗ２＝Ｓ）。
【００６６】
第六の磁石Ｍ１６の極性ｎが基準値ｗ０と定められる（ｗ０＝ｎ）。標準的な向きに有るので、この検査点Ｐは、正の長手方向ｘ（第一の終端ｌ１ｅの方向）に向かって第一の検査間隔ａ１の所に有る。ここで、実際値ｗ、即ち、第六の磁石Ｍ１６の極性が検査点Ｐで検出された場合、この実際値ｗに関する検査はｗ＝ｎの極性を生成する。実際値ｗ＝ｎが基準値ｗ０＝ｎと一致する（ｗ＝ｗ０）ので、標準的な向きであると、即ち、図３ａに図示されている通り、第一の始端ｌ１ａが実際に正の長手方向ｘの側に、即ち、「前方」に有り、第一の終端ｌ１ｅが負の長手方向−ｘの側に、即ち、「後方」に有ると結論付けることができる。
【００６７】
移送ユニット１が、横方向に有る軸の周りの回転後に、図３ｂに図示されている通り、逆方向を向いている場合、検査点Ｐは、第一の終端ｌ１ｅの方向に向かって第一の検査間隔ａ１の所に有る。第一の終端ｌ１ｅは、正の長手方向ｘの側に、即ち、「前方」に有り、それに対して、第一の終端ｌ１ｅは、負の長手方向−ｘの側に、即ち、「後方」に有る。ここで、検査点Ｐでの実際値ｗ（Ｐ）、即ち、ここでは、そこに有る第一の磁石Ｍ１１の極性ｓが決定された場合、この実際値ｗ（Ｐ）に関する検査が、ｓの極性を生成する（ｗ（Ｐ）＝ｓ）。この実際値ｗ（Ｐ）＝ｓが基準値ｗ０＝ｎと一致しないので、移送ユニット１が誤った向きに有ると推定される。
【００６８】
当然のことながら、それに代わって、或いはそれに追加して、同様に、検査点Ｐを負の長手方向−ｘに向かって第一の検査間隔ａ１の所に置くこともでき、その際、当然のことながら、常に基準値ｗ０を適合させなければならない、即ち、ここでは、標準的な向きにおけるｓの極性に適合させなければならない。
【００６９】
移送ユニット１が、横方向に有る軸の周りの回転後に逆方向を向いている場合、信号を出力して、例えば、移送ユニットを再度横方向に有る軸の周りを１８０度回転させることができ、その結果、移送ユニットは、再び標準的な向きに向けられる。この回転は、例えば、必要に応じて手動で行なうことができる。当然のことながら、基準値ｗ０を適合させることができる、即ち、前の標準的な向きを逆向きに、並びにその逆に変更することができる。この場合、当然のことながら、全ての更なる関連するプロセスも新しい向きに適合させなければならない。
【００７０】
有利には、長手方向ｘに関して第一の磁石側Ｓ１に沿った磁気変数の値は、長手方向の延びｌ１の中心の周りに非対称的である。それにより、磁気変数、即ち、ここでは、極性ｎ，ｓの検査は、その時々の基準値ｗ０が既知である限り、如何なる任意の検査点Ｐにおいても行なうことができる。この非対称な極性ｎ，ｓは、図２及び図３ａ，３ｂに図示されている通り、極性ｎ，ｓが長手方向において交互に出現する、偶数の第一の数ｋの磁石Ｍ１１，．．．，Ｍ１ｋを使用することによって、簡単な手法で実現することができる。この非対称性は、当然のことながら、本発明を実現するための如何なる任意の検出可能な磁気変数に関しても規定することができる。
【００７１】
一つの磁石板Ｐ１を備えた移送ユニット１の構造的な構成は、基本的に第一の長手方向の延びｌ１の中心の周りに関してのみ対称的であるとすることができるので、原理的に長手方向ｘに沿った回転だけが向きの変化を引き起こすことができる。
【００７２】
しかし、移送ユニット１が第二の磁石板Ｐ２も有する場合、これらの磁石側Ｓ１，Ｓ２は、長手方向ｘに沿った長手方向の延びｌ１の中心の周りに対称的であり、有利には、長手方向ｘと高さ方向ｚにより決まる平面に対しても対称的である。「対称的である」とは、常に原点、即ち、移送ユニット１の中心と関連して呼ばれるものである。
【００７３】
図４による実施例は、保持部４を用いて負の横方向−ｙにおける第二の磁石側Ｓ２に第二の磁石板Ｐ２を基本物体１０に取り付けた移送ユニット１を図示している。従って、この第二の磁石板Ｐ２は、第二の磁石側Ｓ２において、長手方向ｘに第二の始端ｌ２ａから第二の終端ｌ２ｅにまでの第二の長手方向の延びｌ２に渡って延びるとともに、高さ方向ｚに第二の高さｈ２に渡って延びている。更に、この第二の磁石板Ｐ２は、横方向ｙに第二の板の厚さｂ２を有する。有利には、第二の磁石側Ｓ２又は磁石板Ｐ２のこれらの寸法は、図４に図示されている通り、第一の磁石側Ｓ１又は磁石板Ｐ１と同じである、即ち、第二の長手方向の延びｌ２が第一の長手方向の延びｌ１と一致し、第二の高さｈ２が第一の高さｈ１と一致し、第二の板の厚さｂ２が第一の板の厚さｂ１と一致する。第二の磁石側では、第二の磁石板Ｐ２に第二の数ｌ（ここでは、６個）の板形状の磁石Ｍ２１，．．．，Ｍ２ｌが長手方向ｘに順番に配置されており、これらの磁石は、長手方向ｘに第二の磁石の長さｘ２で延びるとともに、高さ方向ｚに第二の磁石の高さｚ２で延びて、横方向ｙに第二の磁石の厚さｙ２を有する。この第二の数ｌは、有利には、第一の数ｋに等しい。これらのｌ個の磁石Ｍ２１，．．．，Ｍ２ｌも、有利には、高さ方向ｚに（保持部４から見て）第二の磁石板Ｐ２の縁にまで延びており、そのことは、第二の磁石の高さｚ２が第二の高さｈ２に等しいことを意味する。有利には、第二の数ｌの磁石Ｍ２１，．．．，Ｍ２ｌの寸法は、第一の磁石板Ｐ１の第一の数ｋの磁石Ｍ１１，．．．，Ｍ１ｋと同じである、即ち、第二の磁石の長さｘ２が第一の磁石の長さｘ１と一致し、第二の磁石の高さｚ２が第一の磁石の高さｚ１と一致し、第二の磁石の厚さｙ２が第一の磁石の厚さｙ１と一致する。このことから、第二の磁石板Ｐ２のｌ個の全ての磁石に関して、個々の磁石Ｍ２１，．．．，Ｍ２ｌの第二の磁石の長さｘ２、第二の磁石の高さｚ２及び第二の磁石の厚さｙ２が同じであることも分かる。
【００７４】
基本物体１０には、正の高さ方向ｚにおける第一の案内側ＦＳ１に、第一の案内グループＦＧ１が取り付けられ、負の高さ方向−ｚにおける第一の案内側ＦＳ１に、別の第一の案内グループＦＧ１が取り付けられている。この場合、第一の案内グループＦＧ１が一点鎖線で表示された第一の区間案内グループ２１と協力して動作し、ここでは、例えば、案内に関して対称的である、即ち、長手方向ｘへの移送ユニット１の案内は、標準的な向きでも、横方向ｙに有る軸の周りを１８０度回転した後でも可能である。ここでは、そのことが、例えば、負の高さ方向−ｚに取り付けられた第一の案内グループＦＧ１が正の高さ方向ｚに取り付けられた第一の案内グループＦＧ１と対称的であることによって実現されている。
【００７５】
同様に、基本物体１０には、ここでは、第一の案内側ＦＳ１に対して逆側の第二の案内側ＦＳ２における正の高さ方向ｚに第二の案内グループＦＧ２が取り付けられ、負の高さ方向−ｚに別の第二の案内グループＦＧ２が取り付けられている。この場合、第二の案内グループＦＧ２は、同様に一点鎖線で表示された第二の区間案内グループ２２と協力して動作して、同じく、例えば、案内に関して対称的である。更に、第一の案内グループＦＧ１は、第二の案内側に対して、例えば、案内に関して同等である、即ち、それらは互いに入れ換えることが可能である。それによって、移送ユニット１に関して、長手方向ｘに有る軸の周りの１８０度の回転が可能である。そのような回転後には、第一の案内グループＦＧ１の部品が第二の区間案内グループ２２の部品と協力して動作して、第二の案内グループＦＧ２の部品は第二の区間案内グループ２１の部品と係合する。図示された実施構成では、第一の磁石側Ｓ１が、有利には、第一の案内側ＦＳ１に相当し、第二の磁石側Ｓ２が第二の案内側に相当する。
【００７６】
要約すると、有利には、第二の数ｌの磁石Ｍ２１，．．．，Ｍ２ｌは、第一の数ｋの磁石Ｍ１１，．．．，Ｍ１ｋの構造及び配置構成に対して、図４に図示されている通り、ｘｙ平面に対して対称的であり、その際、ｌ個の磁石Ｍ２１，．．．，Ｍ２ｌも、ｋ個の磁石Ｍ１１，．．．，Ｍ１ｋも互いに直に接しているが、（例えば、一部だけでも）互いに間隔を開けて配置することもできる。しかし、「対称的である」とは、第一に、第一の数ｋの磁石Ｍ１１，．．．，Ｍ１ｋと第二の数ｌの磁石Ｍ２１，．．．，Ｍ２ｌ、並びに第一の案内グループＧ１と第二の案内グループＧ２の基本的な配置構成と関連して呼ばれるものである。
【００７７】
第二の数ｌの磁石Ｍ２１，．．．，Ｍ２ｌは、それぞれ横方向ｙに向かってｎからｓへの極性又はその逆の極性を有する。そのことは、第二の磁石板Ｐ２の第二の数ｌの磁石Ｍ２１，．．．，Ｍ２ｌが長手方向ｘに沿って第一の磁石板Ｐ１の第一の数ｋの磁石Ｍ１１，．．．，Ｍ１ｋと同様の極性を付与されていることを意味する必要はない。図４では、第一の数ｋの磁石Ｍ１１，．．．，Ｍ１ｋと第二の数ｌの磁石Ｍ２１，．．．，Ｍ２ｌの極性は、図５及び図６において、より詳しく取り上げるので、見易くするとの理由から記入されていない。
【００７８】
このような第一の数ｋの磁石Ｍ１１，．．．，Ｍ１ｋと第二の数ｌの磁石Ｍ２１，．．．，Ｍ２ｌを備えた移送ユニット１の対称的な構造のために、例えば、第一と第二の区間案内部品２１，２２、駆動コイル２１などの移送区間２０の部品の実現形態にも依存して、この移送ユニットは、（案内に関して対称的であるために）横方向ｙに存在する軸の周りに１８０度回転させてＬＬＭ固定子に取り付けることができるだけでなく、（案内に関して同等であるために）長手方向ｘに存在する軸の周りに１８０度回転させることも、高さ方向ｚに有る軸の周りに１８０度回転させることもできる。
【００７９】
また、本発明では、二つの磁石側Ｓ１，Ｓ２を有する移送ユニット１は、ここでは、第一の磁石側Ｓ１において、第一の長手方向の延びｌ１の中心から第一の終端ｌ１ｅの方向に向かって第一の検査間隔ａ１で第一の値ｗ１の磁気変数を有するとともに、第一の磁石側Ｓ１において、第一の長手方向の延びｌ１の中心から第一の始端ｌ１ａの方向に向かって第一の検査間隔ａ１で、第一の値ｗ１と異なる第二の値ｗ２の磁気変数を有する。即ち、ここでは、第一の数ｋの磁石Ｍ１１，．．．，Ｍ１ｋの磁気変数としての磁性ｎ，ｓに関して、第一の長手方向の延びｌ１の中心から第一の終端ｌ１ｅに向かって第一の検査間隔ａ１の所の少なくとも一つの磁石Ｍ１１，．．．，Ｍ１ｋが、第一の長手方向の延びｌ１の中心から第一の始端ｌ１ａに向かって第一の検査間隔ａ１の所の磁石と異なる極性ｎ，ｓを有するように、第一の数ｋの磁石Ｍ１１，．．．，Ｍ１ｋ（ここでは、６個の磁石）が極性を付与されており、その際、第一の磁石側Ｓ１の全ての磁石Ｍ１１，．．．，Ｍ１ｋの極性ｎ，ｓが、図５ａに図示されている通り、第一の長手方向の延びｌ１の中心の周りに非対称的であるのが極めて特に有利である。
【００８０】
それによって、図５ａの移送ユニット１は、一つの磁石板Ｐ１を備えた移送ユニット１に関して図３ｂに基づき図示したことと同様に、一つの検査点Ｐでの検査変数、即ち、例えば、（正の横方向ｙにおける、しかし、選択的に、正の長手方向ｘ又は負の長手方向−ｘにおける）第一の検査間隔ａ１の所の極性ｎ，ｓの実際値ｗ（Ｐ）の検査によって、移送ユニット１が横方向ｙに関して標準的な向きに有るのか、或いは逆向きに有るのかを決定することができる。図５ｂでは、実際値ｗ（Ｐ）＝ｎが（図５ａを参照すると、第六の磁石Ｍ１６の第一の値ｗ１に等しい）基準値ｗ０＝ｎと一致する、即ち、移送ユニット１が標準的な向きに有る。図５ｃでは、実際値ｗ（Ｐ）＝ｓが（図５ａを参照すると、又もや第六の磁石Ｍ１６の第一の値ｗ１に等しい）基準値ｗ０と一致しない、即ち、移送ユニット１は逆向きに有る。
【００８１】
有利には、移送ユニット１は、更に、第二の磁石側Ｓ２において、第二の長手方向の延びｌ２の中心から第二の始端ｌ２ａの方向に向かって第二の検査間隔ａ２で、第三の値ｗ３と異なる第四の値ｗ４の磁気変数を有する。即ち、ここでは、磁気変数としての磁性ｎ，ｓに関して、基本物体２上の第二の磁石側Ｓ２におけるｌ（ここでは、６）個の磁石Ｍ２１，．．．，Ｍ２ｌも、第二の長手方向の延びｌ２の中心から第二の終端ｌ２ｅに向かって第二の検査間隔ａ２の所の少なくとも一つの磁石Ｍ２１，．．．，Ｍ２ｌが、第二の長手方向の延びｌ２の中心から第一の始端ｌ２ａに向かって第二の検査間隔ａ２の所の磁石Ｍ２１，．．．，Ｍ２ｌと異なる極性ｎ，ｓを有するように極性を付与されており、その際、長手方向ｘに沿った第二の磁石側Ｓ２の全ての磁石Ｍ２１，．．．，Ｍ２ｌの極性ｎ，ｓが、図５ａの場合の通り、第二の長手方向の延びｌ２の中心の周りに非対称的（即ち、ｙｚ平面に対して非対称的）であるのが極めて特に有利である。
【００８２】
それによって、第一の磁石側Ｓ１と同様に（そのため、第二の磁石側Ｓ２に関しては、図面に再度詳しく図示していない）、第二の磁石側Ｓ２の一つの検査点Ｐにおける検査変数の実際値ｗ（Ｐ）、即ち、例えば、第二の検査間隔ａ２の所の一つの磁石Ｍ２１，．．．，Ｍ２ｌの極性ｎ，ｓを検査して、基準値ｗ０と比較することによって、移送ユニット１が長手方向に沿って標準的な向きに有る（図５ｂ）のか、或いは逆向きに有る（図５ｃ）のかを決定することができる。
【００８３】
図５ａの実施形態では、検査間隔ａ１，ａ２の所と検査位置ａ３は同じである。しかし、当然のことながら、向きの検査のためには、二つの磁石側Ｓ１，Ｓ２の中の一つに基づき検査を実行すれば、それで十分である。
【００８４】
長手方向ｘに沿って延びる軸の周りの回転も検出可能である。しかし、そのためには、第一の案内側ＦＳ１が第二の案内側ＦＳ２に対して対向して有って、第一の案内グループＧ１が第二の案内グループＧ２と案内に関して同等であるように構成されている（即ち、第一の案内グループＧ１を第二の案内グループＧ２と入れ換えることが可能である）ことと、第一の磁石側Ｓ１が第二の磁石側Ｓ２に対して対向して有るとともに、第一の長手方向の延びｌ１の中心と第二の長手方向の延びｌ２の中心が互いに対向して有ることと、移送ユニットが第一の磁石側Ｓ１における長手方向ｘに沿った検査位置ａ３で第五の値ｗ５の磁気変数を有することと、移送ユニット１が第二の磁石側Ｓ２における長手方向ｘに沿った検査位置ａ３で、第五の値ｗ５と異なる第六の値ｗ６の磁気変数を有することとが必要である。これらの全ての前提条件は、極性ｎ，ｓが磁気変数としての役割を果たすので、図３の代わりに図５ａに示されている。
【００８５】
検査位置ａ３における第一の磁石側Ｓ１の第六の磁石Ｍ１６の極性は、回転していない標準的な向きではｎである（図５ａ）、即ち、第五の値ｗ５がｗ５＝ｎに等しい。第二の磁石側Ｓ２の第六の磁石Ｍ２６の極性は、検査位置ａ３に有り、本発明では、第五の値ｗ５＝ｎと異なる第六の値ｗ６＝ｓを有する。第一の磁石側Ｓ１の第六の磁石Ｍ１６の第五の値ｗ５が検査変数の基準値ｗ０と見做されて、間違った第一の磁石側Ｓ１で、検査点Ｐにおける磁気の実際値ｗ（Ｐ）が決定されたことになる。移送ユニット１が標準的な向きに有る場合、（例えば、（間違った、並びに実際の）第一の磁石側Ｓ１の検査位置ａ３に相当する）検査点Ｐにおける実際値ｗは基準値ｗ０と一致する。
【００８６】
しかし、移送ユニット１が、図５ａの状態から長手方向ｘに延びる軸の周りを１８０度回転した場合、図５ｄにおいて明らかな通り、第一の数ｋの磁石Ｍ１１，．．．，Ｍ１ｋと一緒に第一の磁石側Ｓ１が、第二の数ｌの磁石Ｍ２１，．．．，Ｍ２ｌと一緒の第二の磁石側Ｓ２と場所を入れ換える。即ち、第二の磁石側Ｓ２の第六の磁石Ｍ２６と第一の磁石側Ｓ１の第六の磁石Ｍ１６がその位置を入れ換える。間違った第一の磁石側Ｓ１（しかし、実際には第二の磁石側Ｓ２）で、検査点Ｐにおける磁気の実際値ｗ（Ｐ）が決定されることになる。従って、（ここでは、第一の磁石側Ｓ１での検査位置ａ３に相当する）検査点Ｐにおける実際値ｗ（Ｐ）＝ｓは基準値ｗ０＝ｗ５＝ｎと異なる。それによって、移送ユニット１が長手方向ｘに延びる軸の周りの回転に関して誤った向きに有ると決定される。
【００８７】
有利には、図５ａの場合の通り、第一の検査間隔ａ１の所、第二の検査間隔ａ２の所及び場所ａ３は同じであり、そのため、一つの検査点Ｐを用いて、横方向ｙに存在する軸の周りと長手方向ｘに存在する軸の周りの誤った向きを検知することができる。しかし、図５ａの実施形態では、高さ方向ｚに存在する軸の周りの回転の検知はできない。
【００８８】
高さ方向ｚに存在する軸の周りの移送ユニット１の回転を確認できるようにするために、移送ユニットは、第一の磁石側Ｓ１において、第一の長手方向の延びｌ１の中心から第一の終端ｌ１ｅの方向に向かって第一の検査間隔ａ１で第一の値ｗ１の磁気変数を有するとともに、第一の磁石側Ｓ１において、第一の長手方向の延びｌ１の中心から第一の始端ｌ１ａの方向に向かって第一の検査間隔ａ１で、第一の値ｗ１と一致する第二の値ｗ２の磁気変数を有し、この移送ユニット１は、第二の磁石側Ｓ２において、第二の長手方向の延びｌ２の中心から第二の終端ｌ２ｅの方向に向かって第二の検査間隔ａ２で第三の値ｗ３を有し、移送ユニット１は、第二の磁石側Ｓ２において、第二の長手方向の延びｌ２の中心から第二の始端ｌ２ａの方向に向かって第二の検査間隔ａ２で、第三の値ｗ３と一致する第四の値ｗ４の磁気変数を有し、この場合、第一及び第二の値ｗ１，ｗ２は、第三及び第四の値ｗ３，ｗ４と異なる。このような移送ユニット１が図６ａに図示されており、構造的には、磁石Ｍ１１，．．．，Ｍ１ｋ，Ｍ２１，．．．，Ｍ２ｌの数を除いて、図５ａの実施形態と同じであるが、磁石Ｍ１１，．．．，Ｍ１ｋ，Ｍ２１，．．．，Ｍ２ｌの極性が大きく異なり、横方向ｙに存在する軸の周りの回転を検知できない。
【００８９】
有利には、第一の磁石側Ｓ１における長手方向ｘに沿った磁気変数の値、即ち、ここでは、磁石Ｍ１１，．．．，Ｍ１ｋ，Ｍ２１，．．．，Ｍ２ｌの極性は、第二の磁石側Ｓ２と異なる値を有することができ、ここでは、更に、それらは、それぞれ磁石側Ｓ１，Ｓ２毎に長手方向の延びｌ１又はｌ２の中心の周りに対称的に配置されている。図６ａにも図示されている通り、磁石板Ｐ１，Ｐ２毎に極性ｎ，ｓが交番する奇数の数ｋ，ｌの磁石Ｍ１１，．．．，Ｍ１ｋ，Ｍ２１，．．．，Ｍ２ｌを備えた移送ユニット１は特に簡単な解決策である。ここでは、第一の磁石側Ｓ１の第五の磁石Ｍ１５が、第一の終端ｌ１ｅの方向に向かって第一の検査間隔ａ１で極性ｓの形の第一の値ｗ１を有する。第一の磁石側Ｓ１の第一の磁石Ｍ１１が、第一の始端ｌ１ａの方向に向かって第一の検査間隔ａ１で、第一の値ｗ１と一致する極性ｓの形の第二の値ｗ２を有する。第二の磁石側Ｓ２の第五の磁石Ｍ２５が、第二の終端ｌ２ｅの方向に向かって第二の検査間隔ａ２で極性ｎの形の第三の値ｗ３を有する。第二の磁石側Ｓ２の第一の磁石Ｍ２１が、第二の始端ｌ２ａの方向に向かって第二の検査間隔ａ２で、第三の値ｗ３と一致する極性ｎの形の第四の値ｗ４を有する。有利には、第一の検査間隔ａ１の所が第二の検査間隔ａ２の所と一致し、その際、第一又は第二の値が第三又は第四の値と異なる（ｗ１＝ｗ２≠ｗ３＝ｗ４）。
【００９０】
図６ｂは、標準的な向きの移送ユニット１を図示している。第一の磁石側Ｓ１の第一の始端ｌ１ａと第二の磁石側Ｓ２の第二の始端ｌ２ａが正の長手方向ｘの側に有り、それに対して、第一の磁石側Ｓ１の第一の終端ｌ１ｅと第二の磁石側Ｓ２の第二の終端ｌ２ｅは負の長手方向−ｘの側に有る。更に、第一の磁石側Ｓ１が正の横方向ｙの側に有り、第二の磁石側Ｓ２が負の横方向−ｙの側に有る。即ち、第一の始端ｌ１ａが正の長手方向ｘかつ正の横方向ｙの側に有り、第一の終端ｌ１ｅが負の長手方向−ｘかつ正の横方向ｙの側に有り、第二の始端ｌ２ａが正の長手方向ｘかつ負の横方向−ｙの側に有り、第二の終端ｌ２ｅが負の長手方向−ｘかつ負の横方向−ｙの側に有る。第一の値ｗ１を有する第一の磁石側Ｓ１の第五の磁石Ｍ１５の極性ｓが基準値ｗ０として確認される（ｗ０＝ｗ１＝ｓ）。
【００９１】
図６ｂは、図６ａによる移送ユニットを図示しており、その際、向きが決定される。この移送ユニットは、図６ａの通り、標準的な向きに有る。検査点Ｐは、正の長手方向ｘにおいて第一の終端ｌ１ｅの方向に向かって第一の検査間隔ｌａ１の所に有る。ここで、検査点Ｐにおける実際値ｗ（Ｐ）、即ち、第一の値ｗ１と一致する第五の磁石Ｍ１５の極性が検出された場合、この実際値ｗに関する検査がｗ（Ｐ）＝ｓの極性を生成する。実際値ｗ（Ｐ）＝ｓが基準値ｗ０＝ｗ１＝ｓと一致するので、標準的な向きに有ると結論付けることができる。
【００９２】
この実施形態では、高さ方向ｚの周りの回転だけでなく、長手方向ｘの周りの回転も検出可能である。図６ｃでは、長手方向ｘの周りの回転が起こっており、この回転は、図５ｃに基づき図示したことと同じ手法で検出することができる。
【００９３】
図６ｄは、高さ方向ｚの周りに回転した、図６ａによる移送ユニットを図示している。ここでは、第一の始端ｌ１ａが負の長手方向−ｘかつ負の横方向−ｙの側に有り、第一の終端ｌ１ｅが正の長手方向ｘかつ負の横方向−ｙの側に有り、第二の始端ｌ２ａが負の長手方向−ｘかつ正の横方向ｙの側に有り、第二の終端ｌ２ｅが正の長手方向ｘかつ正の横方向ｙの側に有る。ここで、正の長手方向に沿った検査間隔ａ１の所において、第一の磁石側Ｓ１の第五の磁石Ｍ１５が極性ｓを有し、第二の磁石側Ｓ２の第五の磁石Ｍ２５が極性ｎを有する。
【００９４】
従って、検査点Ｐは、第一の終端ｌ１ｅの方向に向かって第一の検査間隔ａ１の所に有る。第一の終端ｌ１ｅが正の長手方向ｘの側の「前方」に有り、それに対して、第一の始端ｌ１ａが長手方向−ｘの側に、即ち、「後方」に有る。ここで、検査点Ｐにおける実際値ｗ（Ｐ）、即ち、ここでは、第二の磁石側Ｓ２に存在する第一の磁石Ｍ２１の極性ｎが決定された場合、この実際値ｗ（Ｐ）に関する検査がｎの極性を生成する（ｗ＝ｎ）。この実際値ｗ＝ｎが基準値ｗ０＝ｓと一致しないので、移送ユニット１が誤った向きに有ると推定される。
【００９５】
それによって、一つの磁石側Ｓ１，Ｓ２における一つの検査点Ｐで磁気検査変数の実際値を確認して、基準値ｗ０と比較することによって、高さ方向ｚの周りの誤った向きを確認することができる。
【００９６】
しかし、この長手方向の延びｌ１，ｌ２の中心の周りの磁気変数の対称性に基づく実施形態では、横方向ｙに延びる軸の周りの回転を確認できないことに留意されたい。更に、この実施形態では、長手方向ｘに存在する軸の周りの回転と同時の高さ方向ｚに存在する軸の周りの回転を確認することができず、誤って標準的な向きに有ると見做されるかもしれない。
【図１】
2021511773.tif 000003
【図２】
2021511773.tif 000004
【図３ａ】
2021511773.tif 000005
【図３ｂ】
2021511773.tif 000006
【図４】
2021511773.tif 000007
【図５ａ】
2021511773.tif 000008
【図５ｂ】
2021511773.tif 000009
【図５ｃ】
2021511773.tif 000010
【図５ｄ】
2021511773.tif 000011
【図６ａ】
2021511773.tif 000012
【図６ｂ】
2021511773.tif 000013
【図６ｃ】
2021511773.tif 000014
【図６ｄ】
2021511773.tif 000015
【手続補正書】
【提出日】令和2年3月13日(2020.3.13)
【手続補正１】
【補正対象書類名】特許請求の範囲
【補正対象項目名】全文
【補正方法】変更
【補正の内容】
【特許請求の範囲】
【請求項１】
長固定子リニアモーター（２）のための移送ユニット（１）であって、
この移送ユニット（１）が、
第一の案内グループ（ＦＧ１）が配置された、長手方向（ｘ）に関して側方に存在する第一の案内側（ＦＳ１）を有し、
第二の案内グループ（ＦＧ２）が配置された、長手方向（ｘ）に関して側方に存在する第二の案内側（ＦＳ２）を有し、この第二の案内側（ＦＳ２）が第一の案内側（ＦＳ１）に対して対向して有るとともに、第二の案内グループ（ＦＧ２）が第一の案内グループ（ＦＧ１）と案内に関して同等であるように構成されており、
長手方向（ｘ）に沿って第一の始端（ｌ１ａ）から第一の終端（ｌ１ｅ）までの第一の長手方向の延び（ｌ１）に渡って延びる、長手方向（ｘ）に関して側方に存在する、外側を向いた第一の磁石側（Ｓ１）を有し、
長手方向（ｘ）に沿って第二の始端（ｌ２ａ）から第二の終端（ｌ２ｅ）までの第二の長手方向の延び（ｌ２）に渡って延びる、長手方向（ｘ）に関して側方に存在する、外側を向いた第二の磁石側（Ｓ２）を有し、この第一の磁石側（Ｓ１）が第二の磁石側（Ｓ２）に対して対向して有るとともに、第一の長手方向の延び（ｌ１）の中心と第二の長手方向の延び（ｌ２）の中心が互いに対向して有る、
移送ユニット（１）において、
この移送ユニット（１）が、第一の磁石側（Ｓ１）において、第一の長手方向の延び（ｌ１）の中心から第一の終端（ｌ１ｅ）の方向に向かって第一の検査間隔（ａ１）の所で第一の値（ｗ１）の磁気変数を有するとともに、第一の磁石側（Ｓ１）において、第一の長手方向の延び（ｌ１）の中心から第一の始端（ｌ１ａ）の方向に向かって第一の検査間隔（ａ１）の所で、第一の値（ｗ１）と一致する第二の値（ｗ２）の磁気変数を有することと、
この移送ユニット（１）が、第二の磁石側（Ｓ２）において、第二の長手方向の延び（ｌ２）の中心から第二の終端（ｌ２ｅ）の方向に向かって第二の検査間隔（ａ２）の所で第三の値（ｗ３）の磁気変数を有することと、
この移送ユニット（１）が、第二の磁石側（Ｓ２）において、第二の長手方向の延び（ｌ２）の中心から第二の始端（ｌ２ａ）の方向に向かって第二の検査間隔（ａ２）の所で、第三の値（ｗ３）と一致する第四の値（ｗ４）の磁気変数を有し、これらの第一及び第二の値（ｗ１，ｗ２）が第三及び第四の値（ｗ３，ｗ４）と異なることと、
を特徴とする移送ユニット。
【請求項２】
第一の検査間隔（ａ１）の所が第二の検査間隔（ａ２）の所と一致することを特徴とする請求項１に記載の移送ユニット。
【請求項３】
第一の磁石側（Ｓ１）における長手方向（ｘ）に沿った磁気変数の全ての値が第二の磁石側（Ｓ２）と異なる値を有することを特徴とする請求項２に記載の移送ユニット。
【請求項４】
第一の磁石側（Ｓ１）における磁気変数の値が第一の長手方向の延び（ｌ１）の中心に対して対称的であることと、
第二の磁石側（Ｓ２）における磁気変数の値が第二の長手方向の延び（ｌ２）の中心に対して対称的であることと、
を特徴とする請求項１から３までのいずれか一つに記載の移送ユニット。
【請求項５】
長固定子リニアモーター（２）のための移送ユニット（１）であって、
この移送ユニット（１）が、
案内に関して対称的である第一の案内グループ（ＦＧ１）が配置された、長手方向（ｘ）に関して側方に存在する第一の案内側（ＦＳ１）を有し、
長手方向（ｘ）に沿って第一の始端（ｌ１ａ）から第一の終端（ｌ１ｅ）までの第一の長手方向の延び（ｌ１）に渡って延びる、長手方向（ｘ）に関して側方に存在する第一の磁石側（Ｓ１）を有する、
移送ユニット（１）において、
この移送ユニット（１）が、第一の磁石側（Ｓ１）において、第一の長手方向の延び（ｌ１）の中心から第一の終端（ｌ１ｅ）の方向に向かって第一の検査間隔（ａ１）の所で第一の値（ｗ１）の磁気変数を有することと、
この移送ユニット（１）が、第一の磁石側（Ｓ１）において、第一の長手方向の延び（ｌ１）の中心から第一の始端（ｌ１ａ）の方向に向かって第一の検査間隔（ａ１）の所で、第一の値（ｗ１）と異なる第二の値（ｗ２）の磁気変数を有することと、
を特徴とする移送ユニット。
【請求項６】
この移送ユニットが、第二の案内グループ（ＦＧ２）が配置された、長手方向（ｘ）に関して側方に存在する第二の案内側（ＦＳ１）を有し、
この移送ユニット（１）が、長手方向（ｘ）に沿って第二の始端（ｌ２ａ）から第二の終端（ｌ２ｅ）までの第二の長手方向の延び（ｌ２）に渡って延びる、長手方向（ｘ）に関して側方に存在する第二の磁石側（Ｓ２）を有することと、
第二の案内グループ（ＦＧ２）が案内に関して対称的であることと、
この移送ユニット（１）が、第二の磁石側（Ｓ２）において、第二の長手方向の延び（ｌ２）の中心から第二の終端（ｌ２ｅ）の方向に向かって第二の検査間隔（ａ２）の所で第三の値（ｗ３）の磁気変数を有することと、
この移送ユニット（１）が、第二の磁石側（Ｓ２）において、第二の長手方向の延び（ｌ２）の中心から第二の始端（ｌ２ａ）の方向に向かって第二の検査間隔（ａ２）の所で、第三の値（ｗ３）と異なる第四の値（ｗ４）の磁気変数を有することと、
を特徴とする請求項５に記載の移送ユニット。
【請求項７】
第一の案内側（ＦＳ１）が第二の案内側（ＦＳ２）に対して対向して有ることと、
第一の磁石側（Ｓ１）が第二の磁石側（ＦＳ２）に対して対向して有るとともに、第一の長手方向の延び（ｌ１）の中心と第二の長手方向の延び（ｌ２）の中心が互いに対向して有ることと、
この移送ユニットが、第一の磁石側（Ｓ１）において、長手方向（ｘ）に沿った検査位置（ａ３）の所で第五の値（ｗ５）の磁気変数を有することと、
この移送ユニット（１）が、第二の磁石側（Ｓ１）において、長手方向（ｘ）に沿った検査位置（ａ３）の所で、第五の値（ｗ５）と異なる第六の値（ｗ６）の磁気変数を有することと、
を特徴とする請求項６に記載の移送ユニット。
【請求項８】
第一の検査間隔（ａ１）が第二の検査間隔（ａ２）及び検査位置（ａ３）と等しいことを特徴とする請求項７に記載の移送ユニット。
【請求項９】
長手方向（ｘ）に沿った第一の磁石側（Ｓ１）における磁気変数の全ての値が第二の磁石側（Ｓ２）における磁気変数の値と異なることを特徴とする請求項７又は８に記載の移送ユニット。
【請求項１０】
第一の磁石側（Ｓ１）における磁気変数の値が第一の長手方向の延び（ｌ１）の中心に対して非対称的であることを特徴とする請求項１から９までのいずれか一つに記載の移送ユニット。
【請求項１１】
前記の磁気変数が、有利には、第一の磁石側（Ｓ１）に取り付けられた第一の磁石板（Ｐ１）又は第二の磁石側（Ｓ２）に取り付けられた第二の磁石板（Ｐ２）の磁気抵抗によって与えられることを特徴とする請求項１から１０までのいずれか一つに記載の移送ユニット。
【請求項１２】
第一の数ｋの磁石（Ｍ１１，．．．，Ｍ１ｋ）が第一の磁石側（Ｓ１）に配置されるか、或いは第二の数ｌの磁石（Ｍ２１，．．．，Ｍ２ｌ）が第二の磁石側（Ｓ２）に配置されて、これらの磁石が、それぞれ横方向（ｙ）に極性（ｎ，ｓ）を付与されており、前記の磁気変数が、これらの第一の数ｋの磁石（Ｍ１１，．．．，Ｍ１ｋ）又は第二の数ｌの磁石（Ｍ２１，．．．，Ｍ２ｌ）の極性によって与えられることを特徴とする請求項１から１０までのいずれか一つに記載の移送ユニット。
【請求項１３】
請求項１から１２までのいずれか一つに記載の少なくとも一つの移送ユニット（１）と、この少なくとも一つの移送ユニット（１）を移送区間（２０）に沿って移動方向に案内するために、第一の案内グループ（ＦＧ１）及び／又は第二の案内グループ（ＦＧ２）と協力して動作する第一の区間案内グループ（２１）及び／又は第二の区間案内グループ（２２）を備えた移送区間（２０）とを有する長固定子リニアモーター。
【請求項１４】
請求項１から１３までのいずれか一つに記載の移送ユニット（１）の向きを決定する方法において、
長手方向（ｘ）に関して側方に有る磁石側（Ｓ１，Ｓ２）における一つの検査点（Ｐ）の所で、磁気検査変数の実際値（ｗ）が検出されて、基準値（ｗ０）と比較されることと、
この実際値（ｗ）が基準値（ｗ０）と一致しない場合に、移送ユニット（１）が誤った向きに有ると推定されることと、
を特徴とする方法。
【請求項１５】
磁気検査変数として、移送ユニット（１）の一つの磁石（Ｍ１１，．．．，Ｍ１ｋ，Ｍ２１，．．．，Ｍ２ｌ）の極性（ｎ，ｓ）が検出されることを特徴とする請求項１４に記載の方法。
【手続補正書】
【提出日】令和2年9月24日(2020.9.24)
【手続補正１】
【補正対象書類名】明細書
【補正対象項目名】全文
【補正方法】変更
【補正の内容】
【発明の詳細な説明】
【技術分野】
【０００１】
本発明は、長固定子リニアモーターのための移送ユニットに関し、この移送ユニットは、長手方向に関して側方に有る、案内に関して対称的な第一の案内グループが配置された第一の案内側を有するとともに、この移送ユニットは、長手方向に関して側方に有る、長手方向に沿って第一の始端から第一の終端にまでの第一の長手方向の延びに渡って延びる第一の磁石側を有する。
【０００２】
本発明は、更に、長固定子リニアモーターのための移送ユニットに関し、この移送ユニットは、長手方向に関して側方に有る、第一の案内グループが配置された第一の案内側と、長手方向に関して側方に有る、長手方向に沿って第一の始端から第一の終端にまでの第一の長手方向の延びに渡って延びる第一の磁石側とを有し、この移送ユニットは、長手方向に関して側方に有る、第二の案内グループが配置された第二の案内側を有するとともに、この移送ユニットは、長手方向に関して側方に有る、長手方向に沿って第二の始端から第二の終端にまでの第二の長手方向の延びに渡って延びる第二の磁石側を有する。
【０００３】
また、本発明は、長固定子リニアモーターのための移送ユニットに関し、この移送ユニットは、長手方向に関して側方に有る、第一の案内グループが配置された第一の案内側と、少なくとも長手方向に関して側方に有る、第二の案内グループが配置された第二の案内側とを有し、この第二の案内側が第一の案内側に対して対向して有り、第二の案内グループが第一の案内グループに対して案内に関して同等であるように構成され、更に、長手方向に関して側方に有る、長手方向に沿って第一の始端から第一の終端にまでの第一の長手方向の延びに渡って延びる第一の磁石側と、長手方向に関して側方に有る、長手方向に沿って第二の始端から第二の終端にまでの第二の長手方向の延びに渡って延びる第二の磁石側とを有し、第一の長手方向の延びの中心と第一の長手方向の延びの中心が互いに対向して有る。
【０００４】
更に、本発明は、長固定子リニアモーターの移送ユニットの向きを決定する方法に関し、この移送ユニットは、長手方向において案内に関して対称的であるか、案内に関して同等であるか、或いはその両方である。
【背景技術】
【０００５】
長固定子リニアモーター（ＬＬＭ）では、多数の順番に配置された電気駆動コイルが移送区間に沿って位置を固定して配置されており、それらの駆動コイルが固定子を構成する。移送ユニットには、一定数の磁石が永久磁石、電気コイル又は短絡巻線として配置されている。それらの磁石は、通常移動方向において固定子の駆動コイルと協力して動作するように移送ユニットに配置されている。長固定子リニアモーターは、自励式と他励式の両方により同期機械として実現することができるか、或いは非同期機械として実現することができる。磁石と駆動コイルの（電）磁界の協力動作によって、推進力が移送ユニットの磁石に作用し、それによって、更に、移送ユニットが移動方向に動かされる。それは、推進力の大きさに影響する磁気流量を制御する個々の駆動コイルを駆動することによって行なわれる。最新の柔軟な物流ユニットの要求に応えるために、従来の連続コンベヤー又は回転・直線変換ユニット（例えば、ベルトコンベヤー、ベルト、チェーン等における回転モーター）の代替部品として、長固定子リニアモーターが益々採用されている。
【０００６】
一般的に、そのような長固定子リニアモーターは、大抵一つの面内に配置されており、その結果、移送ユニットは、平坦な移送区間に沿って動かされる。その場合、移送区間は、曲がった区画、直線の形の移送区画又は転轍機から構成することができる。当然のことながら、好適な手法で移送ユニットを移送区間に沿って案内して、それに保持しなければならない。そのために、移送ユニットには、移送区間に配備された区間案内グループと協力して動作する、個別の案内部品から成る案内グループが配備されており、これらの区間案内グループは、更に、区間案内部品から構成される。その場合、例えば、ローラー、ホイール、スライド部品、ガイド面などの任意の案内部品及び区間案内部品を採用することができる。特許文献１は、例えば、移送区間の対応するガイド面上を転がるガイドホイールが側方に取り付けられた移送ユニットを備えた長固定子リニアモーターを記載している。移送区間に移送ユニットを保持するために、移送ユニットにおける駆動磁石の磁力が用いられている。特許文献２は、移送区間に沿って移動方向に機械方式により強制的に案内される、即ち、そのような一つの移動方向にしか運搬車両を動かすことができない、移送ユニットを備えた長固定子リニアモーターを記載している。それによって、運搬車両の案内と保持が常に保証されている。特許文献３では、二つの案内側にそれぞれ案内グループが存在することによって、移送区間に沿った運搬車両の確実な案内を保証している。移送区間には、それぞれ移送ユニットの第一又は第二の案内グループの案内部品と協力して動作する第一と第二の区間案内グループが配備されている。それによって、運搬車両が移動方向に常に確実に案内されて、移送区間からの離脱が実質的に不可能となっている。
【０００７】
特に、転轍機を介した移送時に、移送区間の構成によって、位置を固定された駆動コイルに対する移送ユニットの向きが、例えば、縦軸又は横軸の周りに１８０度回転することが起こり得る。基本的には、移送ユニットと移送区間によって構造的に可能である限り、実際に各軸の周りに向きが回転することが考えられる。固定子への移送ユニットの取付時に、移送ユニットが所望の、或いは想定した向きに対して回転した形で誤って設置される可能性も有る。しかし、移送区間での移送ユニットの正しい標準的な向き又は誤った向きの検知はこれまで不可能であった。特許文献４及び５は、転轍機とそれぞれ側面毎に三つの磁石を備えた移送ユニットと備えた長固定子リニアモーターをそれぞれ開示しており、その際、案内グループ毎のそれぞれ二つの案内部品が、それぞれ対応する区間案内グループと協力して動作する。そこでは、駆動磁石の極性を詳しく記載していない。特許文献６は、同じく転轍機を有するが、移送ユニットの各側にそれぞれ６個の駆動磁石を有する長固定子リニアモーターを開示している。
【先行技術文献】
【特許文献】
【０００８】
【特許文献１】米国特許登録第９，４２８，３４７号明細書
【特許文献２】国際特許公開第２０１２／１０１００４号明細書
【特許文献３】国際特許公開第２０１５／０４２４０９号明細書
【特許文献４】国際特許公開第２０１０／０８５６７０号明細書
【特許文献５】国際特許公開第２０１４／０４７１０４号明細書
【特許文献６】欧州特許公開第３０４４３７３号明細書
【発明の概要】
【発明が解決しようとする課題】
【０００９】
本発明の課題は、長固定子リニアモーターで動作させて使用した時の向きを簡単に決定できる、長固定子リニアモーターのための移送ユニットを提示するとともに、移送ユニットの向きを決定するための方法を提示することである。
【課題を解決するための手段】
【００１０】
この課題は、移送ユニットが、第一の磁石側において第一の長手方向の延びの中心から第一の終端の方向に向かって第一の検査間隔で第一の値の磁気変数を有するとともに、第一の磁石側において第一の長手方向の延びの中心から第一の始端の方向に向かって第一の検査間隔で、第一の値と異なる第二の値の磁気変数を有することによって解決される。第一の案内グループは、第一の案内側に有るが、例えば、移送ユニットの二つ以上の側に渡って延びることもできる。移送ユニットの移動方向を長手方向と称し、それと交差する方向を横方向と称する。右巻きとの意味で長手方向と横方向から得られる方向を高さ方向と見做す。このデカルト座標系の原点は、各移送ユニットの基本物体の中心に置かれ、それによって、この座標系は、それぞれ移送ユニットと一緒に移動するが、回転時には一緒に移動しない。従って、「側方に配置」とは、原点と関連して呼ばれるものであり、横方向及び／又は高さ方向におけるずれが存在することを意味する。そのため、基本的に移送ユニットにおける案内側が原点から見て横方向及び／又は高さ方向に有るのか否かは重要ではない。第一の案内グループが案内に関して対称的であることが重要である。「案内に関して対称的である」とは、一方において、案内グループが、各移動方向における、即ち、ここでは、長手方向に沿った移送ユニットの移動を可能にするために、長固定子リニアモーターの移送区間の第一の区間案内グループと協力して動作するのに適していることを意味する。しかし、他方において、「案内部品が案内に関して対称である」ことは、移送ユニットが横方向に沿って存在する軸の周りを１８０度回転した後に、案内部品が、引き続き回転した移送ユニットを長手方向に動かすことができるように、移送区間の第一の区間案内グループと協力して動作できることをも意味する。
【００１１】
一つの案内グループが、例えば、案内側に取り付けられた一つの案内部品、例えば、レールの形の区間案内グループの区間案内部品と協力して動作する一つの案内部品、例えば、一つのローラーだけから構成される場合、この案内部品は、一つの移動方向に案内することが可能である。しかし、この案内グループは、横方向の周りの１８０度の回転後に、案内に関して対称的であるように、その時々の長手方向に案内することも可能でなければならない。このことは、基本的に、ローラーを案内グループの単一の案内部品とした場合に、特に、それが移送ユニットにおいて高さ方向に関して中央に配置されている場合に与えられる。しかし、ローラーが高さ方向に関して中央に、即ち、原点の高さに配置されていない場合、横方向の周りを１８０度回転した後の移送ユニットは、ずれた形で移送区間上を案内される。それによって、移送ユニットが確かに基本的には案内に関して対称的であるが、そのような考え得るずれは、長固定子リニアモーターの構造的な実現形態において考慮しなければならず、望ましくないとすることもできる。
【００１２】
案内グループが、移送ユニットの上方の正の高さ方向に向かって第一の間隔の所に取り付けられた第一のローラーの形の一つの案内部品と、負の高さ方向に向かって同じ間隔の所に取り付けられた同様の第二のローラーの形の一つの案内部品とから構成される場合、この案内グループの側方において案内に関して対称的であると規定される。当然のことながら、移送ユニット自体も構造的に横方向の周りに回転することが可能でなければならない。更に、この場合、例えば、正の高さ方向における第一のレールの形の区間案内部品と負の高さ方向における同様の第二のレールの形の区間案内部品から構成される、それに対応する区間案内グループは、移送ユニットが「標準的なむき」である場合及び移送ユニットが長手方向に沿って１８０度回転した場合に、それぞれローラーと協力して動作することができる。そのことは、当然のことながら、区間案内グループが同じく案内に関して対称的でなければならないことを意味する。これらのローラーとそれに対応する正及び負の高さ方向におけるレールは、それぞれ互換性が無く交換可能でない場合（互換性が有るとは、必ずしもそれらが同じ形で構成されていることを意味しない）、長手方向における案内が可能であるにも関わらず（しかし、移送ユニットが長手方向において１８０度回転した後では不可能であるので）、それらは案内に関して対称的ではない。
【００１３】
本課題は、同じく本発明による方法によって解決され、その方法では、長手方向に関して側方に存在する一つの磁石側における一つの検査点で、磁気検査変数の実際値を検出して、基準値と比較し、この実際値が基準値と一致しない場合に、移送ユニットが誤った向きに有ると推定する。このことは、実際値が基準値と一致する場合に、移送ユニットが正しい標準的な向きに有ると推定することを意味する。誤った向きを検出した場合、例えば、信号を出力することができる。
【００１４】
本発明による方法は、簡単な手法で移送区間に対する移送機器の向きを、即ち、移送ユニットが標準的な向きに有るのか、或いは移送ユニットが横方向に存在する軸の周りを１８０度回転したのかを検査することを可能にする。それに関する前提条件は、当然のことながら、案内に関して対称であることである。標準的な向きから逸脱した向きを検知するためには、その時々の検査点において標準的な向きの場合に期待される検査変数の実際値に等しい磁気検査変数の基準値が、その基準値をその検査点で実際に検出された磁気検査変数の実際値と比較できるように既知でなければならない。磁気検査変数の実際値が基準値と一致しない場合、移送ユニットが横方向に存在する軸の周りを回転していると結論付けることができる。
【００１５】
本発明による方法は、本発明による移送ユニットにおいて、検査点が検査間隔の所と一致する場合に使用することができる。即ち、基本的には、検査点が正の長手方向、即ち、移動方向に向かって検査間隔の所に有るのか、或いは負の長手方向、即ち、移動方向と逆方向に向かって検査間隔の所に有るのかを確認する。そのため、例えば、磁気検査変数の基準値は（第一の終端の方向に向かって第一の検査間隔の所の）第一の値に等しい。実際値が基準値と一致する場合、移送ユニットは標準的な向きに有る。実際値が（第一の始端の方向に向かって第一の検査間隔の所の）第二の値と一致する、そのため、第一の値と一致しない場合、移送ユニットは誤った向きに有る。
【００１６】
即ち、移送ユニットの向きを決定する場合、移送ユニットが移送区間に有る時に、一つの検査点における磁気検査変数の実際値が検出される。この場合、前述した通り、検査変数を磁気変数に対応付けることができ、それによって、基準値はその値に等しく、標準的な向きにおける実際値とも一致する。しかし、検査変数は、移送ユニットの磁石及び／又は磁気を通す材料（例えば、磁石板）と共に移送区間の駆動コイルから構成される磁気回路によっても生成することができる。それ故、磁気変数に相当する検査変数を検出することもできる。その場合、当然のことながら、検査変数の実際値と磁気変数の値は互いに相関を有さなければならない、即ち、相互に導出可能でなければならない。当然のことながら、実際値の代わりに、推移を観測して、基準値の推移と比較することもできる。
【００１７】
この横方向に存在する軸の周りの回転を検出するための磁気検査変数の実際値の検査は、第二の数の磁石が第二の磁石側に存在するのか否かに関係無く実施することができる。
【００１８】
また、本課題は、案内に関して対称的であるか、案内に関して互いに同等であるか、或いはその両方である第一の案内グループと第二の案内グループを有する移送ユニットによって解決され、この移送ユニットは、第一の磁石側において、第一の長手方向の延びの中心から第一の終端の方向に向かって第一の検査間隔で第一の値の磁気変数を有し、この移送ユニットは、第一の磁石側において、第一の長手方向の延びの中心から第一の始端の方向に向かって第一の検査間隔で、第一の値と異なる第二の値の磁気変数を有し、この移送ユニットは、第一の磁石側において、第一の長手方向の延びの中心から第一の終端の方向に向かって第一の検査間隔で、第一の値の磁気変数を有し、この移送ユニットは、第一の磁石側において、第一の長手方向の延びの中心から第一の終端の方向に向かって第一の検査間隔で、第一の値と異なる第二の値の磁気変数を有し、この移送ユニットは、第二の磁石側において、第二の長手方向の延びの中心から第二の終端の方向に向かって第二の検査間隔で第三の値の磁気変数を有し、この移送ユニットは、第二の磁石側において、第二の長手方向の延びの中心から第二の始端の方向に向かって第二の検査間隔で、第三の値と異なる第四の値の磁気変数を有する。
【００１９】
両方の案内グループがそれぞれ案内に関して対称的である場合、第一の磁石側に関して上述した本発明による方法を追加的に、或いは代替的に同様に使用することで、輸送ユニットの向きが、検査点における磁気変数の実際値を検査することによって第二の磁石側に決定され得る。この場合、検査点は、又もや長手方向の延びの中心から検査間隔の所と一致する。実際値と基準値が一致する場合、移送ユニットが標準的な向きに有ると結論付けることができる。それらが一致しない場合、移送ユニットが横方向に存在する軸の周りを１８０度回転していると結論付けることができる。当然のことながら、常に前提条件は、検査点における磁気変数の基準値が既知であることである。
【００２０】
案内グループが互いに案内に関して同等である場合、有利には、第一の案内側が第二の案内側に対して対向して有り、第一の磁石側が第二の磁石側に対して対向して有り、第一の長手方向の延びの中心が第二の長手方向の延びの中心に対して対向して有り、第一の磁石側では、長手方向に沿った検査位置で第五の値の磁気変数を有し、第二の磁石側では、長手方向に沿った検査位置で、第五の値と異なる第六の値の磁気変数を有する。ここで、「逆側」とは、原点又は原点を通る長手方向の軸に関して逆側であることを意味する。二つの磁石側は、同じ長手方向の延びを有することもでき、そのため、長手方向の延びの中心の外に、第一及び第二の磁石側の始端及び終端もそれぞれ互いに対向して有る。
【００２１】
案内グループに関して、「案内に関して同等である」とは、それらが互いに交換可能である、即ち、移送ユニットを長手方向に有る軸又は高さ方向に有る軸の周りに１８０度回転できることを意味する。そのような回転の前に、第一の案内グループの案内部品は第一の区間案内グループの区間案内部品と協力する、例えば、係合し、第二の案内グループの案内部品は第二の区間案内グループの区間案内部品と係合する。第一の案内グループと第二の案内グループは、例えば、長手方向に沿って互いに対称的である場合に、互いに案内に関して同等であることを保証することができる。長手方向に有る軸の周りの期待される回転後には、第一の案内グループの案内部品が第二の区間案内グループの区間案内部品と協力して動作するとともに、第二の案内グループの案内部品が第一の区間案内グループの区間案内部品と協力して動作することとなる。
【００２２】
そのような移送ユニットでは、本発明による方法により一つの検査点における磁気検査変数の実際値を検出することによって、長手方向に有る軸の周りの１８０度の回転も検知することができる。そのためには、検査点が第一又は第二の磁石側における検査位置の所と一致して、検査点での検査変数の実際値とそれに対応する基準値の比較が行われる。検査変数の基準値は、例えば、第五の値に等しく、実際値は、予想される第一の磁石側の第一の検査位置の形の検査点において検出される。磁気検査変数の検出された実際値が基準値と一致する場合、移送ユニットが標準的な向きに有る、即ち、検査点が実際に第一の磁石側に有ると結論付けることができる。しかし、実際の検査変数として、例えば、第六の値が検出され、そのため、基準値と一致しない場合、長手方向に有る軸の周りを回転していると結論付けることができる。即ち、検査点が第二の磁石側に有ることが確認される。
【００２３】
第一の検査間隔の所が第二の検査間隔の所及び検査位置と一致するのが極めて特に有利である。それによって、一つの箇所（第二の検査間隔の所と一致するとともに、検査位置の所と一致する第一の検査間隔の所）における磁気変数の値の検査によって、長手方向に存在する軸の周りと横方向に存在する軸の周りの両方の回転を検知することができる。そのことは、長手方向に存在する軸の周りと横方向に存在する軸の周りの両方における移送ユニットの向きを確認するために、移送ユニットの一つの検査箇所における磁気検査変数の実際値だけを決定すればよいことを意味する。従って、この検査箇所は、（非）回転の様態に応じて、第一の検査間隔又は第二の検査間隔の所、或いは検査位置と一致し、そのことは、既に述べた通り、実際値と基準値の比較によって確認される。しかし、この場合、横方向と長手方向の両方の周りの回転は、それにより誤って標準的な向きであると解釈されてるかもしれない。しかし、簡単な回転を検出するのと比べて、そのような二重の回転は非常に稀であり、そのため、そのようなケースを無視することができる。案内グループが案内に関して同等である場合、移送ユニットは、高さ方向の周りにも回転することができる。しかし、そのような回転は、上述した実施形態では検知できない。
【００２４】
更に、長手方向に沿って、第一の磁石側での磁気変数の全ての値が、第二の側での磁気変数の値と異なるのが有利である。それによって、当然のことながら、相応の基準値が既知である限り、一つの磁石側に沿った任意の検査箇所における実際値に基づき横方向の周りの回転を検知することができる。
【００２５】
この場合、第一の磁石側での磁気変数の値が第一の長手方向の延びの中心の周りに非対称的であるのが特に有利である。それによって、当然のことながら、同じく基準値が既知である限り、第一の磁石側に沿った任意の検査箇所における実際値に基づき、横方向に存在する軸の周りの回転を検知することができる。第二の磁石側が存在して、長手方向の全体に沿って、第一の磁石側における磁気変数の値が第二の側における磁気変数の値と異なる場合、そのことは、当然のことながら、第二の磁石側での磁気変数の値が第二の長手方向の延びの中心の周りに非対称的であることをも意味する。
【００２６】
また、本課題は、本発明による移送ユニットによって解決され、この移送ユニットは、第一の磁石側において、第一の長手方向の延びの中心から第一の終端の方向に向かって第一の検査間隔で第一の値の磁気変数を有するとともに、第一の磁石側において、第一の長手方向の延びの中心から第一の始端の方向に向かって第一の検査間隔で、第一の値と一致する第二の値の磁気変数を有し、この移送ユニットは、第二の磁石側において、第二の長手方向の延びの中心から第二の終端の方向に向かって第二の検査間隔で第三の値の磁気変数を有し、この移送ユニットは、第二の磁石側において、第二の長手方向の延びの中心から第二の始端の方向に向かって第二の検査間隔で、第三の値と一致する第四の値の磁気変数を有し、これらの第一及び第二の値が第三及び第四の値と異なる。それにより、本発明による方法に基づき、第一及び／又は第二の磁石側での第一の検査間隔の所における磁気検査変数の実際値を検査することによって、移送ユニットが高さ方向の周りに回転しているのかを確認することができる。同様に、第一の検査間隔の所における磁気検査変数の実際値を検査することによって、長手方向に存在する軸の周りの回転を検知できるが、横方向に存在する軸の周りの回転は、この回転が案内に関して同等であることにより可能であったとしても検知できない。高さ方向又は長手方向の周りの回転に関する前提条件は、それぞれ案内グループが互いに案内に関して同等であることである。標準的な向きと一致する向き又は標準的な向きから逸脱した向きの検知は、又もや磁気検査変数のそれぞれ検出された実際値を基準値と比較することによって実施することができる。本方法は、上述した通り適用することができ、ここでは、再度詳しく述べない。
【００２７】
第一の磁石側での長手方向に沿った磁気変数の全ての値が第二の磁石側と異なる値を有することができ、その際、有利には、第一の磁石側での磁気変数の値は、第一の長手方向の延びの中心の周りに対称的であり、第二の磁石側での磁気変数の値は、第二の長手方向の延びの中心の周りに対称的である。それにより、第一の磁石側と第二の磁石側の両方で任意の検査箇所における磁気変数の実際値を検出することによって、横方向又は高さ方向の周りの回転が可能であり、その際、当然のことながら、その時々の基準値が既知でなければならない。
【００２８】
磁気変数は、有利には、第一の磁石側に取り付けられた第一の磁石板又は第二の磁石側に取り付けられた第二の磁石板の磁気抵抗によって規定することができる。磁石板は、通常磁気を良く通す材料から構成され、そのような磁石板には、例えば、それぞれ第一又は第二の数の磁石が取り付けられる。即ち、例を挙げると、例えば、検査間隔の所又は検査点などの所定の箇所における長手方向に沿った移送ユニット、例えば、移送ユニットの基本物体又はそこに取り付けられた磁石板の磁気抵抗を変えることができる。このことは、厚さ及び／又は材料組成、窪み等の相違によって実現することができる。このアプローチでは、磁気変数が移送ユニットによってのみ規定される。しかし、磁気変数は、磁気抵抗である必要はなく、例えば、周知の通り、磁気抵抗からの直接的な影響を受ける、移送ユニットに配置された磁石が発生する磁極又は磁気流量であるとすることもできる。
【００２９】
従って、その時々の検査間隔の所又は検査位置における磁気変数の値は、移送ユニットにおける構造的な措置（磁石の強さ、位置や極性、磁石板の厚さや材料等）によって定義することができる。
【００３０】
磁気検査変数は、如何なるセンサーが無くとも、例えば、既に存在するコイル制御部を通るように存在する磁気回路を同定することによって検出することができる。そのために、例えば、移送ユニットが停止している場合でも、高周波電圧信号を駆動コイル内に印加して、発生した電流信号、即ち、電流応答を解析する。電流と電圧の間の関係は、特に、インダクタンスに依存し、そのインダクタンスは、更に、磁気抵抗に依存する。本発明では、異なる検査間隔の所又は検査位置における移送ユニットの磁気抵抗が異なる場合、個々のコイルの電流の推移が移送ユニットの向きに応じて異なる。即ち、電流応答の決定と解析及び検査変数の実際値と基準値の比較によって、移送ユニットの向きを推定することができる。移送ユニットが動いている場合、磁気検査変数の実際値を推定するために、例えば、移送ユニットの動きにより引き起こされる逆起電力電圧を用いることができる。この逆起電力電圧は、磁気回路における磁気流量の時間変化に比例する。磁気変数の異なる値のために磁気流量が変化した場合、そのことは、駆動コイルを用いて確認することができ、そのため、移送ユニットの向きを推定することができる。例えば、磁石側の始端の方向に向かって第一の検査間隔で磁石側の終端の方向よりも小さい磁気抵抗が与えられた場合、より大きな磁気流量のために、駆動コイルを介して、終端よりも大きな電圧が始端に誘導される。
【００３１】
第一の磁石側に第一の数の磁石を配置するか、或いは第二の磁石側に第二の数の磁石を配置するのが極めて特に有利であり、それらの磁石は、それぞれ横方向に向かって極性を規定され、磁気変数は、第一の数の磁石又は第二の数の磁石の極性によって与えられる。その時々の検査間隔の所又は検査位置における異なる極性によって、移送ユニットの向きの特に簡単な確認を可能にすることができる。この極性は、当然のことながら、同じく磁気回路内の磁気流量に影響し、それによって、前述したことと同様に、磁気流量から検出することができる。
【００３２】
しかし、一つの検査間隔の所又は一つの検査位置における磁気変数は、移送区間に取り付けられた好適なセンサー、例えば、磁界センサーによって検知することもできる。そのような磁界センサーを用いて、磁界の強さ又は極性を測定するとともに、所定の磁界センサーを用いて、磁界の極性を測定することもでき、それによって、移送ユニットの向きを推定することができる。
【００３３】
この場合、磁気変数、例えば、磁石の極性の値は、常に一つの磁石側における移送ユニットの中心を基準点として観測される。特に、極性が磁気変数として用いられる場合、磁石の外側を向いた側の極性が比較される。当然のことながら、同じく、きっと横方向に向かって極性を付与されているので、磁石の内側を向いた側の極性を比較することもできる。
【００３４】
即ち、例えば、両方の磁石側での長手方向に沿った磁気変数の値が異なる場合、そのことは、磁気変数が磁石の極性によって規定されるケースに関して、長手方向に沿った第一の磁石側の全ての磁石が外側に向かって第二の磁石側の磁石と異なる極性を有することを意味する。そのことは、第一の磁石側の磁石が長手方向に関して第二の磁石側の磁石に対して非対称的な極性を有することを意味し、そのため、長手方向の周りの回転は、各磁石の極性に基づき、即ち、任意の箇所において検知することができる。
【００３５】
例えば、これらの磁石側の同じ形態に構成された磁石は、長手方向に交互に正と負の極性を付与することができる。それによって、長手方向の延びの中心の周りに対称的である場合には、磁石側毎に奇数個の磁石となり、非対称である場合には、偶数個の磁石となる。
【００３６】
長固定子リニアモーターは、本発明に基づく少なくとも一つの移送ユニットと移送区間を有し、この移送区間は、この少なくとも一つの移送ユニットを移送区間に沿って移動方向に案内するために、第一の案内グループ及び／又は第二の案内グループと協力して動作する第一の区間案内グループ及び／又は第二の区間案内グループを有する。
【００３７】
このことは、長固定子リニアモーターが第一の区間案内グループを有する一つの移送区間を備えることができ、この少なくとも一つの移送ユニットは、第一の案内グループを有する。即ち、第一の区間案内グループは、この少なくとも一つの移送ユニットを移送区間に沿って移動方向に案内するために、第一の案内グループと協力して動作する。この移送ユニットは、上述した通り、横方向に存在する軸の周りを回転することができ、それにより、更に、第一の区間案内グループが第一の案内グループと協力して動作するとともに、少なくとも一つの移送ユニットが、「回転した形で」移送区間に沿って移動方向に案内される。
【００３８】
長固定子リニアモーターは、第一の区間案内グループと第二の区間案内グループを有する一つの移送区間を備えることもでき、この少なくとも一つの移送ユニットは、第一の案内グループと第二の案内グループを有することができる。この第一の区間案内グループは、第一の案内グループ又は第二の案内グループと協力して動作するとともに、この第二の区間案内グループは、第二の案内グループ又は第一の案内グループと協力して動作する。この少なくとも一つの移送ユニットは、基本的に標準的な向きで移送区間に沿って移動方向に案内される。この移送ユニットは、本発明では、上述した通り、横方向、長手方向又は高さ方向に存在する軸の周りを回転することができ、その際、第一の案内グループと第二の案内グループも場所を入れ換えることができ、それ故、その時々の別の区間案内グループと協力して動作することができる。即ち、移送ユニットは、回転後に「回転した形で」移送区間に沿って移動方向に案内することができる。
【００３９】
以下において、例えば、本発明の有利な実施形態を模式的に本発明を限定しない形で図示した図１〜６ｄと関連して本発明を詳しく説明する。
【図面の簡単な説明】
【００４０】
【図１】長固定子リニアモーターの模式図
【図２】一つの磁石板を備えた移送ユニットの斜視図
【図３ａ】標準的な向きの状態での一つの磁石板を備えた移送ユニットの側面図
【図３ｂ】横方向の周りに回転した状態での一つの磁石板を備えた移送ユニットの側面図
【図４】二つの磁石板を備えた移送ユニットの斜視図
【図５ａ】移送ユニットの第一の実施形態の側面図
【図５ｂ】標準的な向きの状態での移送ユニットの第一の実施形態の側面図
【図５ｃ】横方向に存在する軸の周りに回転した状態での移送ユニットの第一の実施形態の側面図
【図５ｄ】長手方向に存在する軸の周りに回転した状態での移送ユニットの第一の実施形態の側面図
【図６ａ】二つの磁石板を備えた移送ユニットの第二の実施形態の側面図
【図６ｂ】標準的な向きの状態での移送ユニットの第二の実施形態の側面図
【図６ｃ】長手方向に存在する軸の周りに回転した状態での移送ユニットの第二の実施形態の側面図
【図６ｄ】高さ方向に存在する軸の周りに回転した状態での移送ユニットの第二の実施形態の側面図
【発明を実施するための形態】
【００４１】
図１は、長固定子リニアモーター２の簡単な例を図示している。この場合、長固定子リニアモーター２は閉じた移送区間２０として実現されている。この移送区間２０には、移動磁界を発生させるために、（幾つかの駆動コイルＳｍに対してのみ図示された）制御ユニットＲの制御の下で、（絶対値と方向を有するベクトルとしての）コイル電流ｉＡを流される多数の駆動コイルＳｍが配置されている。これらの移動方向に順番に配置された駆動コイルＳｍは、移送区間２０における（図１にだけ表示された）位置を固定された保持構造物３に配置されている。移送ユニット１は、移送区間２０に沿って移動方向に動かされ、そのために、それぞれ好適な手法により固定して配置された移送区間２０を案内される。
【００４２】
移動方向は、移送ユニット１から見て長手方向ｘと一致する。移送ユニット１は、側方に配置された第一の数ｋの磁石Ｍ１１，．．．，Ｍ１ｋを有し、これらの磁石は、ここでは、長手方向ｘに関して側方に有る第一の磁石側Ｓ１に存在する。図１に図示されている通り、移送ユニット１は、有利には、更に、側方に配置された第二の数ｌの磁石Ｍ２１，．．．，Ｍ２ｌを有し、これらの磁石は、ここでは、長手方向ｘに関して側方に有る第二の磁石側Ｓ２に存在して、第二の磁石側Ｓ２は第一の磁石側Ｓ１に対して対向して有る。移送ユニット１が二つの側（ここでは、磁石側Ｓ１，Ｓ２）にそれぞれ第一の数ｋの磁石Ｍ１１，．．．，Ｍ１ｋ又は第二の数ｌの磁石Ｍ２１，．．．，Ｍ２ｌを有する場合、それに対応して、（移動方向に見て）移送区間２０の両側に、それぞれ、移送ユニット１の動きを引き起こすために、各磁石Ｍ１１，．．．，Ｍ１ｋ，Ｍ２１，．．．，Ｍ２ｌと協力して動作する駆動コイルＳｍを配備することができる。そのために、有利には、磁石Ｍ１１，．．．，Ｍ１ｋ，Ｍ２１，．．．，Ｍ２ｌの領域内の駆動コイルＳｍにのみ電流が流され、この領域は、移送ユニット１の前及び／又は後に有る駆動コイルＳｍを包含することもできる。自明のことながら、移送区間２０に沿って、二つ以上の移送ユニット１を動かすこともでき、その際、移送ユニット１の領域内の駆動コイルＳｍに相応の電流を流すことによって、（方向、位置、速度及び加速度に関して）それ以外の移送ユニット１と関係無く、各移送ユニット１を動かすことができる。この場合、移送区間２０は、用途及び必要に応じて、任意の形状にすることができ、閉じた区間部分及び／又は開いた区間部分から構成することができる。移送区間２０は、一つの面内に存在しなければならないのではなく、空間内に任意に敷設することもできる。長固定子リニアモーター１の基本的な動作原理は、十分に知られており、そのため、ここでは、更にそのことに言及しない。
【００４３】
向きを記述するために、三次元デカルト座標系を出発点として、ｘ方向を長手方向ｘと称し、ｙ方向を横方向ｙと称し、周知の通り右巻きとの意味においてｘ方向とｙ方向から得られるｚ方向を高さ方向ｚと称する。デカルト座標系の原点は、各移送ユニット１の基本物体２の中心に位置し、それによって、この座標系は、それぞれ移送ユニット１と共に移動する。ｘ方向とｚ方向に関する磁石Ｍ１１，．．．，Ｍ１ｋ，Ｍ２１，．．．，Ｍ２ｌの幾何学的な中点を中心と見做すことができる。二つの磁石側Ｓ１，Ｓ２が規定された場合、ｙ方向における中心は、二つの磁石側Ｓ１，Ｓ２の間の中央に有るとすることができる。移送ユニット１が長固定子リニアモーター２の固定子上を長手方向ｘに動くことを出発点とする。この場合、長手方向ｘは、常に、ほぼ移送区間２０によって規定される、移送ユニット１の移動方向を表す。移送区間２０の曲がった区間部分では、当然のことながら、移動方向は、その曲線部分に対する接線である。そのため、移動方向は、基本的に移送区間の実現形態に応じて空間内の任意の方向を向くことができる。
【００４４】
しかし、座標系の軸の向きは、当然のことながら、図面の実現形態に制限されるのではなく、基本的に任意である。例えば、駆動コイルＳと磁石Ｍ１１，．．．，Ｍ１ｋ，Ｍ２１，．．．，Ｍ２ｌが側方ではなく、上方及び／又は下方に配置された長固定子リニアモーター１を実現することができる。それによって、例えば、ｙ軸とｚ軸が符号に適合させた上で場所を入れ換えるかもしれない。
【００４５】
正の横方向ｙに有る、移送ユニット１の少なくとも一つの第一の案内側ＦＳ１には、第一の案内グループＦＧ１が配置されている。この第一の案内側ＦＳ１は、図１に図示されている通り、有利には、第一の磁石側Ｓ１と一致することができるが、移送ユニット１の別の側に存在することもできる。この第一の案内グループＦＧ１は、図１に表示されている通り、長手方向ｘにおける基本物体１０の前と後の部品から構成することができる。それに代わって、第一の案内グループＦＧ１は、図２及び３に表示されている通り、高さ方向ｚにおいて基本物体１０の上方と下方に有る案内部品から構成することもできる。当然のことながら、第一の案内グループＦＧ１は、専ら移動方向ｘに関して前又は後に有る案内部品、高さ方向ｚに関して上方又は下方に有る案内部品又は正の横方向ｙに関して基本物体１０の傍に有る案内部品から構成するか、或いはそのような案内部品の任意の組合せから構成することもできる。
【００４６】
同様に、負の横方向−ｙに有る、移送ユニット１の第二の案内側ＦＳ２にも、第二の案内グループＦＧ２を配置することができ、この案内グループは、更に、長手方向ｘに関して前及び／又は後に有る個別の案内部品か、高さ方向ｚに関して上方及び／又は下方に有る個別の案内部品か、負の横方向−ｙに関して基本物体１０の傍に有る個別の案内部品か、或いはそれらの組合せから構成することができる。第二の案内グループＦＧ２は、第一の案内グループＦＧ１と同様に構成することができるが、必ずしも同様に構成する必要はない。
【００４７】
移送区間２０には、常に、移送ユニット１を移送区間２０に沿って移動方向に、即ち、ここでは、長手方向ｘに案内するために、移送ユニット１の案内側ＦＳ１，ＦＳ２における案内グループＦＧ１，ＦＧ２の部品と協力して動作する少なくとも一つの区間案内グループ２１，２２を配備しなければならない。移送ユニット１が二つの案内側に二つの案内グループＦＧ１，ＦＧ２を備えている場合、移送区間２０は、少なくとも部分的に二つの側に、それぞれ移送ユニット１の案内グループＦＧ１，ＦＧ２の部品と協力して動作する区間案内グループ２１，２２を備えることができる。それによって、二つの側の区間部分には、移送ユニット１の二つの側の案内が実現される。そのため、二つの側の区間部分では、運搬車両１が、二つの案内側における案内グループＦＧ１，ＦＧ２と区間案内グループ２１，２２の協力した動作によって、移動方向ｘに案内される。当然のことながら、たとえ、移送ユニット１が、図１にも図示されている通り、二つの案内側に二つの案内グループＦＧ１，ＦＧ２を有しても、少なくとも部分的に一つの側で案内すると規定することもできる。ここでは、図１の右側に有る二つの移送区画においてのみ、二つの側での案内が規定されている。一つの側による区間部分では、その逆側の実現形態に関係無く移送ユニット１を移動方向ｘに案内するために、移送区間２０の一つの側にのみ、区間案内グループ２１，２２が配置されている。
【００４８】
案内グループＦＧ１，ＦＧ２は、ローラー、ホイール、スライド部品、案内面、スライド面等のような様々な部品を有する。この場合、区間案内部品２１，２２は、当然のことながら、その中で案内グループＦＧ１，ＦＧ２の各部品を案内できるように構成されなければならない。駆動コイルＳｍは、有利には、コンパクトな形態を実現するために、区間案内グループ２１の領域内に、例えば、同じく保持構造物３に配置される。当然のことながら、駆動コイルＳｍを区間案内グループ２１，２２又は区間案内部品と異なる側に置くことも考えられ、それによって、当然のことながら、駆動磁石も案内グループＦＧ１，ＦＧ２の部品の側に存在する必要はない。
【００４９】
案内グループＦＧ１，ＦＧ２と区間案内グループ２１，２２は、当然のことながら、様々な手法により実現することができる。本発明にとって、移送区間２０に一つの案内グループＦＧ１とそれに対応する第一の区間案内グループ２１だけを備えた移送ユニットでは、この案内グループＦＧ１が案内に関して対称的であることが決定的に重要である。そのことは、第一の案内グループＦＧ１が、移動方向への、即ち、ここでは、長手方向ｘに沿った移送ユニット１の動きを実現できるように、移送区間２０の第一の区間案内グループ２１と協力して動作するのに適していることと、移送ユニット１が横方向ｙに存在する軸の周りを１８０度回転した後に、第一の案内グループＦＧ１が、更に、回転した移送ユニット１の移動方向への動きを可能にするために、移送区間２０の第一の区間案内グループ２１と協力して動作できることとを意味する。このことは、第一の案内グループＦＧ１が「前進」及び「後進」に関して第一の区間案内グループ２１と協力して動作できることを意味する。座標系が移送ユニット１と共に回転しないので、回転後の移動方向は、依然として正の長手方向ｘと一致する。第二の案内グループＦＧ２が存在して、それが少なくとも区間部分２０において第二の区間案内グループ２２と協力して動作する場合、第二の案内グループＦＧ２に関しても、案内に関して対称的な移送が成り立つ。
【００５０】
即ち、案内に関して対称的であることは、移送ユニット１が横方向ｙに有る軸の周りを１８０度回転できることの基本的な前提条件である。例えば、移送区間２０上の転轍機又は手動により移送区間２０上に置かれた移送ユニット１が回転したために、そのような回転が起こった場合、本発明に基づき誤った向きを検出することが可能である。
【００５１】
基本的に第一の磁石側Ｓ１に配置された第一の数ｋの磁石Ｍ１１，．．．，Ｍ１ｋを備えた移送ユニット１と、第一の磁石側に対して、有利には逆側であるが、必ずしも逆側ではない第二の磁石側Ｓ１に配置された第二の数ｌの磁石Ｍ２１，．．．，Ｍ２ｌを備えた移送ユニット１とを区別する。第一の数ｋの磁石Ｍ１１，．．．，Ｍ１ｋ又は第二の数ｌの磁石Ｍ２１，．．．，Ｍ２ｌは、それらが移送ユニット１の移動方向に順番に配置されたＬＬＭ固定子の駆動コイルと協力して動作できるように、移送ユニット１に取り付けられている。そのために、第一の数ｋの磁石Ｍ１１，．．．，Ｍ１ｋを第一の磁石板Ｐ１に取り付けるとともに、第二の数ｌの磁石Ｍ２１，．．．，Ｍ２ｌを第二の磁石板Ｐ２に取り付けることができる。第一の側の第一の数ｋの磁石Ｍ１１，．．．，Ｍ１ｋ及び／又は第二の側の第二の数ｌの磁石Ｍ２１，．．．，Ｍ２ｌは、ＬＬＭ固定子の一つの側のそれに対応する駆動コイルと協力して動作することができる。
【００５２】
本発明では、後で図２及び３に基づき詳しく述べる通り、移送ユニット１は、長手方向ｘに沿って第一の始端ｌ１ａから第一の終端ｌ１ｅにまでの第一の長手方向の延びｌ１に渡って延びる第一の磁石側Ｓ１において、第一の長手方向の延びｌ１の中心から第一の終端ｌ１ｅの方向に向かって第一の検査間隔ａ１で第一の値ｗ１の磁気変数を有し、第一の長手方向の延びｌ１の中心から第一の始端ｌ１ａの方向に向かって第一の検査間隔ａ１で、第一の値ｗ１と異なる第二の値ｗ２の磁気変数を有する。
【００５３】
この磁気変数が、例えば、第一の磁石板Ｐ１又は第二の磁石板Ｐ２の磁気抵抗を表す場合、第一の長手方向の延びｌ１の中心から第一の終端ｌ１ｅの方向に向かって第一の検査間隔ａ１での磁気抵抗の値が第一の長手方向の延びｌ１の中心から第一の始端ｌ１ａの方向に向かって第一の検査間隔ａ１での磁気抵抗の値と異なる値を有するようにすることだけに配慮しなければならない。このことは、例えば、移送機器１の磁石板Ｐ１，Ｐ２又はそれ以外の磁気を通す部品の厚さ及び／又は材料組成、窪み等の相違によって実現することができる。
【００５４】
基本的に、磁気変数の種類は当業者にとって任意に選択可能である。以下では、第一の数ｋの磁石Ｍ１１，．．．，Ｍ１ｋ又は第二の数ｌの磁石Ｍ２１，．．．，Ｍ２ｌの極性ｎ，ｓを磁気変数として、本発明を例示して説明する。ここでは、例えば、第一の磁石板Ｐ１に取り付けられた第一の数ｋの磁石Ｍ１１，．．．，Ｍ１ｋ、或いは（存在する場合に）、ここでは、例えば、第二の磁石板Ｐ２に取り付けられた第二の数ｌの磁石Ｍ２１，．．．，Ｍ２ｌの配置形態と極性を取り上げることとする。
【００５５】
図２は、移送ユニット１の斜視図を図示している。長固定子リニアモーターの移送ユニット１は、基本的に簡単化のために直方体形状と仮定した、第一の磁石側Ｓ１を有する基本物体１０から構成される。この第一の磁石側Ｓ１は、長手方向ｘに第一の長手方向の延びｌ１に渡って延びるとともに、高さ方向ｚに第一の高さｈ１に渡って延びている。例えば、構造部分収容部などの移送ユニット１のそれ以外の考え得る周知の構成部品は、簡単化のためと、それらが本発明の理解にとって重要ではないので図示されていない。この基本物体１０の第一の磁石側Ｓ１には、正の横方向ｙに第一の磁石板Ｐ１の第一の数ｋの板形状の磁石Ｍ１１，．．．，Ｍ１ｋが配置されている。第一の数ｋの磁石Ｍ１１，．．．，Ｍ１ｋは、それぞれ長手方向ｘに第一の磁石の長さｘ１に渡って延びるとともに、高さ方向ｚに第一の磁石の高さｚ１で延びて、横方向ｙに第一の磁石の厚さｙ１を有する。
【００５６】
基本物体１０には、第一の案内グループＦＧ１が第一の案内側ＦＳ１の正の高さ方向ｚに取り付けられ、別の第一の案内グループＦＧ１が第二の案内側ＦＳ２の負の高さ方向−ｚに取り付けられている。この場合、第一の案内グループＦＧ１が、一点鎖線で表示された第一の区間案内グループ２１と協力して動作して、案内に関して対称的である、即ち、長手方向ｘへの移送ユニット１の案内が、標準的な向きにおいても、横方向に存在する軸の周りに１８０度回転した後でも可能である。ここでは、そのことが、負の高さ方向−ｚに取り付けられた第一の案内グループＦＧ１が正の高さ方向ｚに取り付けられた第一の案内グループＦＧ１に対して対称的であることによって実現されている。それらに対応する第一の区間案内グループ２１は、当然のことながら、同じく案内に関して対称的でなければならず、そのことは、ここでは、同じく区間案内グループ２１の対称性によって実現されている。
【００５７】
図２に図示された移送ユニット１は、第一の磁石側Ｓ１に第一の数、ここでは、ｋ＝６個の磁石Ｍ１１，Ｍ１２，Ｍ１３，Ｍ１４，Ｍ１５，Ｍ１６を有し、これらの磁石は、ここでは、第一の磁石板Ｐ１に取り付けられている。ここでは、個々のｋ＝６個のＭ１１，．．．，Ｍ１６は、一般的ではあるが、必ずしも必要ではない同じ寸法を有し（即ち、第一の磁石の長さｘ１、第一の磁石の高さｚ１及び第一の磁石の厚さｙ１と同じであり）、より簡単に図示するために、高さ方向ｚに基本物体１０の第一の側の縁にまで延びている。更に、ｋ（ここでは、６）個の磁石Ｍ１１，．．．，Ｍ１ｋが、有利には、長手方向ｘに順番に、それぞれ基本物体１０の第一の側の縁にまで配置されており、そのことは、第一の数ｋの磁石Ｍ１１，．．．，Ｍ１ｋの磁石の長さｘ１の合計が、有利には（ｋ個の磁石Ｍ１１，．．．，Ｍ１ｋが直に接して置かれている場合に）、基本物体の第一の長手方向の延びｌ１に等しいことを意味する。この第一の磁石側Ｓ１は、図示された実施形態では、有利には、第一の案内側ＦＳ１と一致する。
【００５８】
ｋ（ここでは、６）個の磁石Ｍ１１，．．．，Ｍ１ｋは、横方向ｙにそれぞれＮ極ｎからＳ極ｓ又はその逆の極性を有し、そのことは、個々のｋ個の磁石Ｍ１１，．．．，Ｍ１ｋの原点、即ち、移送ユニット１の中心の方を向いた側（負の横方向−ｙ）がそれぞれ中心と逆の方を向いた側（正の横方向ｙ）と異なる極性を有することを意味する。それに対して、高さ方向ｚと長手方向ｘに関して、第一の数ｋの磁石Ｍ１１，．．．，Ｍ１ｋは、それぞれ揃った極性ｎ，ｓを有する。図２では、ｋ＝６個の磁石Ｍ１１，．．．，Ｍ１ｋが交互の極性を有し、それによって、中心の方を向いた側では、長手方向におけるｋ＝６個の磁石Ｍ１１，．．．，Ｍ１ｋの極性に関して、ｎ−ｓ−ｎ−ｓ−ｎ−ｓの極性配列が得られ、それに対応して、中心と逆の方を向いた側では、ｓ−ｎ−ｓ−ｎ−ｓ−ｎの極性配列が得られている。その結果、中心と逆の方を向いた側の極性ｎ，ｓが常に比較されることとなる。
【００５９】
図３ａ，ｂは、中央の基本物体１０を備えた移送ユニット１のｋ＝６個の磁石Ｍ１１，．．．，Ｍ１ｋのｘｙ平面内における図面を図示している。見易くするとの理由から、第一の案内グループＦＧ１の図が省略されている。基本物体１０には、その中心に、デカルト座標系の原点が有り、第一の磁石側Ｓ１の正の横方向ｙには、磁石板Ｐ１が固定されている。ここでは、第一の磁石板Ｐ１は、第一の磁石側に渡って延びて、第一の長手方向の延びｌ１と第一の板の厚さｂ１を有し、基本物体１０と逆の方を向いた側に、ｋ＝６個の磁石Ｍ１１，．．．，Ｍ１ｋを備えている。これらのｋ＝６個の磁石Ｍ１１，．．．，Ｍ１ｋは、同じ寸法を有する、即ち、（図３ａでは、見易くするために、第一の磁石Ｍ１１にだけ表示された）磁石の長さｘ１、磁石の幅ｙ１及び（ｘｙ平面に対して直角であるために、表示されていない）磁石の高さｚ１が同じである。第一の磁石板Ｐ１と逆の方を向いた側におけるｋ＝６個の磁石Ｍ１１，．．．，Ｍ１ｋの極性配列は、ｓ−ｎ−ｓ−ｎ−ｓ−ｎである。第一の終端ｌ１ｅは、原点から見て、標準的には正の長手方向ｘの側に有り、第一の始端ｌ１ａは負の長手方向−ｘの側に有る。
【００６０】
これらのｋ＝６個の磁石Ｍ１１，．．．，Ｍ１ｋが第一の磁石板Ｐ１上に長手方向ｘに順番に配置されているので、一つの磁石板Ｐ１だけを備えた移送ユニット１は、横方向ｙの周りを１８０度回転することもできる。図３ｂに図示されている通り、横方向ｙの周りの回転後に、第一の終端ｌ１ｅは負の長手方向−ｘの側に有り、第一の始端ｌ１ａは正の長手方向ｘの側に有る。そのことは、ｋ＝６個の磁石Ｍ１１，．．．，Ｍ１ｋの順列が回転しており、そのため、ここでは、第一の磁石板Ｐ１と逆の方を向いた側での極性配列がｎ−ｓ−ｎ−ｓ−ｎ−ｓを表すことを意味する。
【００６１】
横方向ｙの周りの回転は、例えば、ＬＬＭ固定子への移送ユニット１の取付時に起こる可能性が有る。しかし、そのような移送ユニット１を有する長固定子リニアモーターの動作中にも、長固定子リニアモーターの移送区間の形態によって、特に、異なる区間部分が転轍機により互いに接続されている場合に、横方向ｙの周りの移送ユニット１の回転が起こる可能性が有る。
【００６２】
本発明では、ｋ＝６個の磁石Ｍ１１，．．．，Ｍ１ｋの極性が、第一の長手方向の延びｌ１の中心から第一の終端ｌ１ｅの方向に向かって第一の検査間隔ａ１の所の少なくとも一つの磁石Ｍ１１，．．．，Ｍ１ｋが、第一の長手方向の延びｌ１の中心から第一の始端ｌ１ａの方向に向かって第一の検査間隔ａ１の所の磁石と異なる極性ｎ，ｓを有するように規定されており、そのことは、図２又は図３ａ，ｂの実施例において、如何なる任意の検査間隔ａ１に対しても成り立つ。
【００６３】
そのため、本発明による方法に基づき、一つの磁石側Ｓ１での一つの検査点Ｐで磁気検査変数の実際値ｗ０を検出して、基準値と比較することによって、簡単な手法で移送ユニット１の向きを推定することができる。
【００６４】
図示された実施例では、検査変数Ｐが検査点Ｐにおける磁石Ｍ１１，．．．，Ｍ１ｋの極性ｎ，ｓに相当し、その際、検査点Ｐは、第一の磁石板Ｐ１の長手方向の延びｌ１の中心（ここでは、中心は中央に仮定された横方向ｙと交差する）から（移送ユニット１が回転しているのか、或いは標準な向きに有るのかに応じて）正の長手方向ｘ又は負の長手方向−ｘに向かって第一の検査間隔ａ１の所と一致する。この場合、標準的な向きであることの確認は、当然のことながら任意であり、従って、その逆も可能である。
【００６５】
図３ａでは、移送ユニット１が標準的な向きに（即ち、始端ｌ１ａが「前方」に、終端ｌ１ｅが「後方」に）有ると見做している。第六の磁石Ｍ１６は、第一の始端ｌ１ａの方向（ここでは、正の長手方向ｘ）に向かって第一の検査間隔ａ１で横方向ｙに向かってｗ１＝ｎの極性の形の第一の値ｗ１を有する。第一の磁石Ｍ１１は、第一の終端ｌ１ｅの方向（ここでは、負の長手方向−ｘ）に向かった所で、ｓの極性の形の第二の値ｗ２を有する（Ｗ２＝Ｓ）。
【００６６】
第六の磁石Ｍ１６の極性ｎが基準値ｗ０と定められる（ｗ０＝ｎ）。標準的な向きに有るので、この検査点Ｐは、正の長手方向ｘ（第一の終端ｌ１ｅの方向）に向かって第一の検査間隔ａ１の所に有る。ここで、実際値ｗ、即ち、第六の磁石Ｍ１６の極性が検査点Ｐで検出された場合、この実際値ｗに関する検査はｗ＝ｎの極性を生成する。実際値ｗ＝ｎが基準値ｗ０＝ｎと一致する（ｗ＝ｗ０）ので、標準的な向きであると、即ち、図３ａに図示されている通り、第一の始端ｌ１ａが実際に正の長手方向ｘの側に、即ち、「前方」に有り、第一の終端ｌ１ｅが負の長手方向−ｘの側に、即ち、「後方」に有ると結論付けることができる。
【００６７】
移送ユニット１が、横方向ｙに有る軸の周りの回転後に、図３ｂに図示されている通り、逆方向を向いている場合、検査点Ｐは、第一の終端ｌ１ｅの方向に向かって第一の検査間隔ａ１の所に有る。第一の終端ｌ１ｅは、正の長手方向ｘの側に、即ち、「前方」に有り、それに対して、第一の終端ｌ１ｅは、負の長手方向−ｘの側に、即ち、「後方」に有る。ここで、検査点Ｐでの実際値ｗ（Ｐ）、即ち、ここでは、そこに有る第一の磁石Ｍ１１の極性ｓが決定された場合、この実際値ｗ（Ｐ）に関する検査が、ｓの極性を生成する（ｗ（Ｐ）＝ｓ）。この実際値ｗ（Ｐ）＝ｓが基準値ｗ０＝ｎと一致しないので、移送ユニット１が誤った向きに有ると推定される。
【００６８】
当然のことながら、それに代わって、或いはそれに追加して、同様に、検査点Ｐを負の長手方向−ｘに向かって第一の検査間隔ａ１の所に置くこともでき、その際、当然のことながら、常に基準値ｗ０を適合させなければならない、即ち、ここでは、標準的な向きにおけるｓの極性に適合させなければならない。
【００６９】
移送ユニット１が、横方向に有る軸の周りの回転後に逆方向を向いている場合、信号を出力して、例えば、移送ユニットを再度横方向に有る軸の周りを１８０度回転させることができ、その結果、移送ユニットは、再び標準的な向きに向けられる。この回転は、例えば、必要に応じて手動で行なうことができる。当然のことながら、基準値ｗ０を適合させることができる、即ち、前の標準的な向きを逆向きに、並びにその逆に変更することができる。この場合、当然のことながら、全ての更なる関連するプロセスも新しい向きに適合させなければならない。
【００７０】
有利には、長手方向ｘに関して第一の磁石側Ｓ１に沿った磁気変数の値は、長手方向の延びｌ１の中心の周りに非対称的である。それにより、磁気変数、即ち、ここでは、極性ｎ，ｓの検査は、その時々の基準値ｗ０が既知である限り、如何なる任意の検査点Ｐにおいても行なうことができる。この非対称な極性ｎ，ｓは、図２及び図３ａ，３ｂに図示されている通り、極性ｎ，ｓが長手方向において交互に出現する、偶数の第一の数ｋの磁石Ｍ１１，．．．，Ｍ１ｋを使用することによって、簡単な手法で実現することができる。この非対称性は、当然のことながら、本発明を実現するための如何なる任意の検出可能な磁気変数に関しても規定することができる。
【００７１】
一つの磁石板Ｐ１を備えた移送ユニット１の構造的な構成は、基本的に第一の長手方向の延びｌ１の中心の周りに関してのみ対称的であるとすることができるので、原理的に長手方向ｘに沿った回転だけが向きの変化を引き起こすことができる。
【００７２】
しかし、移送ユニット１が第二の磁石板Ｐ２も有する場合、これらの磁石側Ｓ１，Ｓ２は、長手方向ｘに沿った長手方向の延びｌ１の中心の周りに対称的であり、有利には、長手方向ｘと高さ方向ｚにより決まる平面に対しても対称的である。「対称的である」とは、常に原点、即ち、移送ユニット１の中心と関連して呼ばれるものである。
【００７３】
図４による実施例は、保持部４を用いて負の横方向−ｙにおける第二の磁石側Ｓ２に第二の磁石板Ｐ２を基本物体１０に取り付けた移送ユニット１を図示している。従って、この第二の磁石板Ｐ２は、第二の磁石側Ｓ２において、長手方向ｘに第二の始端ｌ２ａから第二の終端ｌ２ｅにまでの第二の長手方向の延びｌ２に渡って延びるとともに、高さ方向ｚに第二の高さｈ２に渡って延びている。更に、この第二の磁石板Ｐ２は、横方向ｙに第二の板の厚さｂ２を有する。有利には、第二の磁石側Ｓ２又は磁石板Ｐ２のこれらの寸法は、図４に図示されている通り、第一の磁石側Ｓ１又は磁石板Ｐ１と同じである、即ち、第二の長手方向の延びｌ２が第一の長手方向の延びｌ１と一致し、第二の高さｈ２が第一の高さｈ１と一致し、第二の板の厚さｂ２が第一の板の厚さｂ１と一致する。第二の磁石側では、第二の磁石板Ｐ２に第二の数ｌ（ここでは、６個）の板形状の磁石Ｍ２１，．．．，Ｍ２ｌが長手方向ｘに順番に配置されており、これらの磁石は、長手方向ｘに第二の磁石の長さｘ２で延びるとともに、高さ方向ｚに第二の磁石の高さｚ２で延びて、横方向ｙに第二の磁石の厚さｙ２を有する。この第二の数ｌは、有利には、第一の数ｋに等しい。これらのｌ個の磁石Ｍ２１，．．．，Ｍ２ｌも、有利には、高さ方向ｚに（保持部４から見て）第二の磁石板Ｐ２の縁にまで延びており、そのことは、第二の磁石の高さｚ２が第二の高さｈ２に等しいことを意味する。有利には、第二の数ｌの磁石Ｍ２１，．．．，Ｍ２ｌの寸法は、第一の磁石板Ｐ１の第一の数ｋの磁石Ｍ１１，．．．，Ｍ１ｋと同じである、即ち、第二の磁石の長さｘ２が第一の磁石の長さｘ１と一致し、第二の磁石の高さｚ２が第一の磁石の高さｚ１と一致し、第二の磁石の厚さｙ２が第一の磁石の厚さｙ１と一致する。このことから、第二の磁石板Ｐ２のｌ個の全ての磁石に関して、個々の磁石Ｍ２１，．．．，Ｍ２ｌの第二の磁石の長さｘ２、第二の磁石の高さｚ２及び第二の磁石の厚さｙ２が同じであることも分かる。
【００７４】
基本物体１０には、正の高さ方向ｚにおける第一の案内側ＦＳ１に、第一の案内グループＦＧ１が取り付けられ、負の高さ方向−ｚにおける第一の案内側ＦＳ１に、別の第一の案内グループＦＧ１が取り付けられている。この場合、第一の案内グループＦＧ１が一点鎖線で表示された第一の区間案内グループ２１と協力して動作し、ここでは、例えば、案内に関して対称的である、即ち、長手方向ｘへの移送ユニット１の案内は、標準的な向きでも、横方向ｙに有る軸の周りを１８０度回転した後でも可能である。ここでは、そのことが、例えば、負の高さ方向−ｚに取り付けられた第一の案内グループＦＧ１が正の高さ方向ｚに取り付けられた第一の案内グループＦＧ１と対称的であることによって実現されている。
【００７５】
同様に、基本物体１０には、ここでは、第一の案内側ＦＳ１に対して逆側の第二の案内側ＦＳ２における正の高さ方向ｚに第二の案内グループＦＧ２が取り付けられ、負の高さ方向−ｚに別の第二の案内グループＦＧ２が取り付けられている。この場合、第二の案内グループＦＧ２は、同様に一点鎖線で表示された第二の区間案内グループ２２と協力して動作して、同じく、例えば、案内に関して対称的である。更に、第一の案内グループＦＧ１は、第二の案内側に対して、例えば、案内に関して同等である、即ち、それらは互いに入れ換えることが可能である。それによって、移送ユニット１に関して、長手方向ｘに有る軸の周りの１８０度の回転が可能である。そのような回転後には、第一の案内グループＦＧ１の部品が第二の区間案内グループ２２の部品と協力して動作して、第二の案内グループＦＧ２の部品は第二の区間案内グループ２１の部品と係合する。図示された実施構成では、第一の磁石側Ｓ１が、有利には、第一の案内側ＦＳ１に相当し、第二の磁石側Ｓ２が第二の案内側ＦＳ２に相当する。
【００７６】
要約すると、有利には、第二の数ｌの磁石Ｍ２１，．．．，Ｍ２ｌは、第一の数ｋの磁石Ｍ１１，．．．，Ｍ１ｋの構造及び配置構成に対して、図４に図示されている通り、ｘｙ平面に対して対称的であり、その際、ｌ個の磁石Ｍ２１，．．．，Ｍ２ｌも、ｋ個の磁石Ｍ１１，．．．，Ｍ１ｋも互いに直に接しているが、（例えば、一部だけでも）互いに間隔を開けて配置することもできる。しかし、「対称的である」とは、第一に、第一の数ｋの磁石Ｍ１１，．．．，Ｍ１ｋと第二の数ｌの磁石Ｍ２１，．．．，Ｍ２ｌ、並びに第一の案内グループＦＧ１と第二の案内グループＦＧ２の基本的な配置構成と関連して呼ばれるものである。
【００７７】
第二の数ｌの磁石Ｍ２１，．．．，Ｍ２ｌは、それぞれ横方向ｙに向かってｎからｓへの極性又はその逆の極性を有する。そのことは、第二の磁石板Ｐ２の第二の数ｌの磁石Ｍ２１，．．．，Ｍ２ｌが長手方向ｘに沿って第一の磁石板Ｐ１の第一の数ｋの磁石Ｍ１１，．．．，Ｍ１ｋと同様の極性を付与されていることを意味する必要はない。図４では、第一の数ｋの磁石Ｍ１１，．．．，Ｍ１ｋと第二の数ｌの磁石Ｍ２１，．．．，Ｍ２ｌの極性は、図５及び図６において、より詳しく取り上げるので、見易くするとの理由から記入されていない。
【００７８】
このような第一の数ｋの磁石Ｍ１１，．．．，Ｍ１ｋと第二の数ｌの磁石Ｍ２１，．．．，Ｍ２ｌを備えた移送ユニット１の対称的な構造のために、例えば、第一と第二の区間案内部品２１，２２、駆動コイル２１などの移送区間２０の部品の実現形態にも依存して、この移送ユニットは、（案内に関して対称的であるために）横方向ｙに存在する軸の周りに１８０度回転させてＬＬＭ固定子に取り付けることができるだけでなく、（案内に関して同等であるために）長手方向ｙに存在する軸の周りに１８０度回転させることも、高さ方向ｚに有る軸の周りに１８０度回転させることもできる。
【００７９】
また、本発明では、二つの磁石側Ｓ１，Ｓ２を有する移送ユニット１は、ここでは、第一の磁石側Ｓ１において、第一の長手方向の延びｌ１の中心から第一の終端ｌ１ｅの方向に向かって第一の検査間隔ａ１で第一の値ｗ１の磁気変数を有するとともに、第一の磁石側Ｓ１において、第一の長手方向の延びｌ１の中心から第一の始端ｌ１ａの方向に向かって第一の検査間隔ａ１で、第一の値ｗ１と異なる第二の値ｗ２の磁気変数を有する。即ち、ここでは、第一の数ｋの磁石Ｍ１１，．．．，Ｍ１ｋの磁気変数としての磁性ｎ，ｓに関して、第一の長手方向の延びｌ１の中心から第一の終端ｌ１ｅに向かって第一の検査間隔ａ１の所の少なくとも一つの磁石Ｍ１１，．．．，Ｍ１ｋが、第一の長手方向の延びｌ１の中心から第一の始端ｌ１ａに向かって第一の検査間隔ａ１の所の磁石と異なる極性ｎ，ｓを有するように、第一の数ｋの磁石Ｍ１１，．．．，Ｍ１ｋ（ここでは、６個の磁石）が極性を付与されており、その際、第一の磁石側Ｓ１の全ての磁石Ｍ１１，．．．，Ｍ１ｋの極性ｎ，ｓが、図５ａに図示されている通り、第一の長手方向の延びｌ１の中心の周りに非対称的であるのが極めて特に有利である。
【００８０】
それによって、図５ａの移送ユニット１に対しては、一つの磁石板Ｐ１を備えた移送ユニット１に関して図３ｂに基づき図示したことと同様に、一つの検査点Ｐでの検査変数、即ち、例えば、（正の横方向ｙにおける、しかし、選択的に、正の長手方向ｘ又は負の長手方向−ｘにおける）第一の検査間隔ａ１の所の極性ｎ，ｓの実際値ｗ（Ｐ）の検査によって、移送ユニット１が横方向ｙに関して標準的な向きに有るのか、或いは逆向きに有るのかを決定することができる。図５ｂでは、実際値ｗ（Ｐ）＝ｎが（図５ａを参照すると、第六の磁石Ｍ１６の第一の値ｗ１に等しい）基準値ｗ０＝ｎと一致する、即ち、移送ユニット１が標準的な向きに有る。図５ｃでは、実際値ｗ（Ｐ）＝ｓが（図５ａを参照すると、又もや第六の磁石Ｍ１６の第一の値ｗ１に等しい）基準値ｗ０と一致しない、即ち、移送ユニット１は逆向きに有る。
【００８１】
有利には、移送ユニット１は、更に、第二の磁石側Ｓ２において、第二の長手方向の延びｌ２の中心から第二の始端ｌ２ａの方向に向かって第二の検査間隔ａ２で、第三の値ｗ３と異なる第四の値ｗ４の磁気変数を有する。即ち、ここでは、磁気変数としての磁性ｎ，ｓに関して、基本物体２上の第二の磁石側Ｓ２におけるｌ（ここでは、６）個の磁石Ｍ２１，．．．，Ｍ２ｌも、第二の長手方向の延びｌ２の中心から第二の終端ｌ２ｅに向かって第二の検査間隔ａ２の所の少なくとも一つの磁石Ｍ２１，．．．，Ｍ２ｌが、第二の長手方向の延びｌ２の中心から第一の始端ｌ２ａに向かって第二の検査間隔ａ２の所の磁石Ｍ２１，．．．，Ｍ２ｌと異なる極性ｎ，ｓを有するように極性を付与されており、その際、長手方向ｘに沿った第二の磁石側Ｓ２の全ての磁石Ｍ２１，．．．，Ｍ２ｌの極性ｎ，ｓが、図５ａの場合の通り、第二の長手方向の延びｌ２の中心の周りに非対称的（即ち、ｙｚ平面に対して非対称的）であるのが極めて特に有利である。
【００８２】
それによって、第一の磁石側Ｓ１と同様に（そのため、第二の磁石側Ｓ２に関しては、図面に再度詳しく図示していない）、第二の磁石側Ｓ２の一つの検査点Ｐにおける検査変数の実際値ｗ（Ｐ）、即ち、例えば、第二の検査間隔ａ２の所の一つの磁石Ｍ２１，．．．，Ｍ２ｌの極性ｎ，ｓを検査して、基準値ｗ０と比較することによって、移送ユニット１が長手方向に沿って標準的な向きに有る（図５ｂ）のか、或いは逆向きに有る（図５ｃ）のかを決定することができる。
【００８３】
図５ａの実施形態では、検査間隔ａ１，ａ２の所と検査位置ａ３は同じである。しかし、当然のことながら、向きの検査のためには、二つの磁石側Ｓ１，Ｓ２の中の一つに基づき検査を実行すれば、それで十分である。
【００８４】
長手方向ｘに沿って延びる軸の周りの回転も検出可能である。しかし、そのためには、第一の案内側ＦＳ１が第二の案内側ＦＳ２に対して対向して有って、第一の案内グループＦＧ１が第二の案内グループＦＧ２と案内に関して同等であるように構成されている（即ち、第一の案内グループＦＧ１を第二の案内グループＦＧ２と入れ換えることが可能である）ことと、第一の磁石側Ｓ１が第二の磁石側Ｓ２に対して対向して有るとともに、第一の長手方向の延びｌ１の中心と第二の長手方向の延びｌ２の中心が互いに対向して有ることと、移送ユニットが第一の磁石側Ｓ１における長手方向ｘに沿った検査位置ａ３で第五の値ｗ５の磁気変数を有することと、移送ユニット１が第二の磁石側Ｓ２における長手方向ｘに沿った検査位置ａ３で、第五の値ｗ５と異なる第六の値ｗ６の磁気変数を有することとが必要である。これらの全ての前提条件は、極性ｎ，ｓが磁気変数としての役割を果たすので、図３の代わりに図５ａに示されている。
【００８５】
検査位置ａ３における第一の磁石側Ｓ１の第六の磁石Ｍ１６の極性は、回転していない標準的な向きではｎである（図５ａ）、即ち、第五の値ｗ５がｗ５＝ｎに等しい。第二の磁石側Ｓ２の第六の磁石Ｍ２６の極性は、検査位置ａ３に有り、本発明では、第五の値ｗ５＝ｎと異なる第六の値ｗ６＝ｓを有する。第一の磁石側Ｓ１の第六の磁石Ｍ１６の第五の値ｗ５が検査変数の基準値ｗ０と見做されて、間違った第一の磁石側Ｓ１で、検査点Ｐにおける磁気の実際値ｗ（Ｐ）が決定されたことになる。移送ユニット１が標準的な向きに有る場合、（例えば、（間違った、並びに実際の）第一の磁石側Ｓ１の検査位置ａ３に相当する）検査点Ｐにおける実際値ｗは基準値ｗ０と一致する。
【００８６】
しかし、移送ユニット１が、図５ａの状態から長手方向ｘに延びる軸の周りを１８０度回転した場合、図５ｄにおいて明らかな通り、第一の数ｋの磁石Ｍ１１，．．．，Ｍ１ｋと一緒に第一の磁石側Ｓ１が、第二の数ｌの磁石Ｍ２１，．．．，Ｍ２ｌと一緒の第二の磁石側Ｓ２と場所を入れ換える。即ち、第二の磁石側Ｓ２の第六の磁石Ｍ２６と第一の磁石側Ｓ１の第六の磁石Ｍ１６がその位置を入れ換える。間違った第一の磁石側Ｓ１（しかし、実際には第二の磁石側Ｓ２）で、検査点Ｐにおける磁気の実際値ｗ（Ｐ）が決定されることになる。従って、（ここでは、第一の磁石側Ｓ１での検査位置ａ３に相当する）検査点Ｐにおける実際値ｗ（Ｐ）＝ｓは基準値ｗ０＝ｗ５＝ｎと異なる。それによって、移送ユニット１が長手方向ｘに延びる軸の周りの回転に関して誤った向きに有ると決定される。
【００８７】
有利には、図５ａの場合の通り、第一の検査間隔ａ１の所、第二の検査間隔ａ２の所及び場所ａ３は同じであり、そのため、一つの検査点Ｐを用いて、横方向ｙに存在する軸の周りと長手方向ｘに存在する軸の周りの誤った向きを検知することができる。しかし、図５ａの実施形態では、高さ方向ｚに存在する軸の周りの回転の検知はできない。
【００８８】
高さ方向ｚに存在する軸の周りの移送ユニット１の回転を確認できるようにするために、移送ユニットは、第一の磁石側Ｓ１において、第一の長手方向の延びｌ１の中心から第一の終端ｌ１ｅの方向に向かって第一の検査間隔ａ１で第一の値ｗ１の磁気変数を有するとともに、第一の磁石側Ｓ１において、第一の長手方向の延びｌ１の中心から第一の始端ｌ１ａの方向に向かって第一の検査間隔ａ１で、第一の値ｗ１と一致する第二の値ｗ２の磁気変数を有し、この移送ユニット１は、第二の磁石側Ｓ２において、第二の長手方向の延びｌ２の中心から第二の終端ｌ２ｅの方向に向かって第二の検査間隔ａ２で第三の値ｗ３を有し、移送ユニット１は、第二の磁石側Ｓ２において、第二の長手方向の延びｌ２の中心から第二の始端ｌ２ａの方向に向かって第二の検査間隔ａ２で、第三の値ｗ３と一致する第四の値ｗ４の磁気変数を有し、この場合、第一及び第二の値ｗ１，ｗ２は、第三及び第四の値ｗ３，ｗ４と異なる。このような移送ユニット１が図６ａに図示されており、構造的には、磁石Ｍ１１，．．．，Ｍ１ｋ，Ｍ２１，．．．，Ｍ２ｌの数を除いて、図５ａの実施形態と同じであるが、磁石Ｍ１１，．．．，Ｍ１ｋ，Ｍ２１，．．．，Ｍ２ｌの極性が大きく異なり、横方向ｙに存在する軸の周りの回転を検知できない。
【００８９】
有利には、第一の磁石側Ｓ１における長手方向ｘに沿った磁気変数の値、即ち、ここでは、磁石Ｍ１１，．．．，Ｍ１ｋ，Ｍ２１，．．．，Ｍ２ｌの極性は、第二の磁石側Ｓ２と異なる値を有することができ、ここでは、更に、それらは、それぞれ磁石側Ｓ１，Ｓ２毎に長手方向の延びｌ１又はｌ２の中心の周りに対称的に配置されている。図６ａにも図示されている通り、磁石板Ｐ１，Ｐ２毎に極性ｎ，ｓが交番する奇数の数ｋ，ｌの磁石Ｍ１１，．．．，Ｍ１ｋ，Ｍ２１，．．．，Ｍ２ｌを備えた移送ユニット１は特に簡単な解決策である。ここでは、第一の磁石側Ｓ１の第五の磁石Ｍ１５が、第一の終端ｌ１ｅの方向に向かって第一の検査間隔ａ１で極性ｓの形の第一の値ｗ１を有する。第一の磁石側Ｓ１の第一の磁石Ｍ１１が、第一の始端ｌ１ａの方向に向かって第一の検査間隔ａ１で、第一の値ｗ１と一致する極性ｓの形の第二の値ｗ２を有する。第二の磁石側Ｓ２の第五の磁石Ｍ２５が、第二の終端ｌ２ｅの方向に向かって第二の検査間隔ａ２で極性ｎの形の第三の値ｗ３を有する。第二の磁石側Ｓ２の第一の磁石Ｍ２１が、第二の始端ｌ２ａの方向に向かって第二の検査間隔ａ２で、第三の値ｗ３と一致する極性ｎの形の第四の値ｗ４を有する。有利には、第一の検査間隔ａ１の所が第二の検査間隔ａ２の所と一致し、その際、第一又は第二の値が第三又は第四の値と異なる（ｗ１＝ｗ２≠ｗ３＝ｗ４）。
【００９０】
図６ｂは、標準的な向きの移送ユニット１を図示している。第一の磁石側Ｓ１の第一の始端ｌ１ａと第二の磁石側Ｓ２の第二の始端ｌ２ａが正の長手方向ｘの側に有り、それに対して、第一の磁石側Ｓ１の第一の終端ｌ１ｅと第二の磁石側Ｓ２の第二の終端ｌ２ｅは負の長手方向−ｘの側に有る。更に、第一の磁石側Ｓ１が正の横方向ｙの側に有り、第二の磁石側Ｓ２が負の横方向−ｙの側に有る。即ち、第一の始端ｌ１ａが正の長手方向ｘかつ正の横方向ｙの側に有り、第一の終端ｌ１ｅが負の長手方向−ｘかつ正の横方向ｙの側に有り、第二の始端ｌ２ａが正の長手方向ｘかつ負の横方向−ｙの側に有り、第二の終端ｌ２ｅが負の長手方向−ｘかつ負の横方向−ｙの側に有る。第一の値ｗ１を有する第一の磁石側Ｓ１の第五の磁石Ｍ１５の極性ｓが基準値ｗ０として確認される（ｗ０＝ｗ１＝ｓ）。
【００９１】
図６ｂは、図６ａによる移送ユニットを図示しており、その際、向きが決定される。この移送ユニットは、図６ａの通り、標準的な向きに有る。検査点Ｐは、正の長手方向ｘにおいて第一の終端ｌ１ｅの方向に向かって第一の検査間隔ｌａ１の所に有る。ここで、検査点Ｐにおける実際値ｗ（Ｐ）、即ち、第一の値ｗ１と一致する第五の磁石Ｍ１５の極性が検出された場合、この実際値ｗに関する検査がｗ（Ｐ）＝ｓの極性を生成する。実際値ｗ（Ｐ）＝ｓが基準値ｗ０＝ｗ１＝ｓと一致するので、標準的な向きに有ると結論付けることができる。
【００９２】
この実施形態では、高さ方向ｚの周りの回転だけでなく、長手方向ｘの周りの回転も検出可能である。図６ｃでは、長手方向ｘの周りの回転が起こっており、この回転は、図５ｃに基づき図示したことと同じ手法で検出することができる。
【００９３】
図６ｄは、高さ方向ｚの周りに回転した、図６ａによる移送ユニットを図示している。ここでは、第一の始端ｌ１ａが負の長手方向−ｘかつ負の横方向−ｙの側に有り、第一の終端ｌ１ｅが正の長手方向ｘかつ負の横方向−ｙの側に有り、第二の始端ｌ２ａが負の長手方向−ｘかつ正の横方向ｙの側に有り、第二の終端ｌ２ｅが正の長手方向ｘかつ正の横方向ｙの側に有る。ここで、正の長手方向に沿った検査間隔ａ１の所において、第一の磁石側Ｓ１の第五の磁石Ｍ１５が極性ｓを有し、第二の磁石側Ｓ２の第五の磁石Ｍ２５が極性ｎを有する。
【００９４】
従って、検査点Ｐは、第一の終端ｌ１ｅの方向に向かって第一の検査間隔ａ１の所に有る。第一の終端ｌ１ｅが正の長手方向ｘの側の「前方」に有り、それに対して、第一の始端ｌ１ａが長手方向−ｘの側に、即ち、「後方」に有る。ここで、検査点Ｐにおける実際値ｗ（Ｐ）、即ち、ここでは、第二の磁石側Ｓ２に存在する第一の磁石Ｍ２１の極性ｎが決定された場合、この実際値ｗ（Ｐ）に関する検査がｎの極性を生成する（ｗ＝ｎ）。この実際値ｗ＝ｎが基準値ｗ０＝ｓと一致しないので、移送ユニット１が誤った向きに有ると推定される。
【００９５】
それによって、一つの磁石側Ｓ１，Ｓ２における一つの検査点Ｐで磁気検査変数の実際値を確認して、基準値ｗ０と比較することによって、高さ方向ｚの周りの誤った向きを確認することができる。
【００９６】
しかし、この長手方向の延びｌ１，ｌ２の中心の周りの磁気変数の対称性に基づく実施形態では、横方向ｙに延びる軸の周りの回転を確認できないことに留意されたい。更に、この実施形態では、長手方向ｘに存在する軸の周りの回転と同時の高さ方向ｚに存在する軸の周りの回転を確認することができず、誤って標準的な向きに有ると見做されるかもしれない。
【国際調査報告】
2021511773.tif 000016
2021511773.tif 000017
2021511773.tif 000018
2021511773.tif 000019